(57)【要約】  ワイヤレス通信のための技法について説明する。第１の方法は、チャネル又は干渉推定変調シンボルをデータ変調シンボルのシーケンスに挿入することと、データ変調シンボルのシーケンス中の変調シンボルのグループに対して離散フーリエ変換（ＤＦＴ）を実行することと、変調シンボルのグループが、チャネル又は干渉推定変調シンボルのうちの少なくとも１つを含む、ＤＦＴの出力に少なくとも部分的に基づいて、シングルキャリア周波数領域変調（ＳＣ−ＦＤＭ）シンボルストリームを生成することとを含む。第２の方法は、少なくとも１つのＳＣ−ＦＤＭシンボルストリームの各々について複数のデータ変調シンボル及びチャネル又は干渉推定変調シンボルを復元するために、少なくとも１つのＳＣ−ＦＤＭシンボルストリームの各々についてＤＦＴのトーンデマッピングされた出力に対してＩＤＦＴを実行することと、チャネル又は干渉推定変調シンボルに少なくとも部分的に基づいて干渉を推定することと、推定された干渉に少なくとも部分的に基づいてデータ変調シンボルを復号することとを含む。
2018511993.tif 000002
【特許請求の範囲】
【請求項１】
ワイヤレス通信のための方法であって、
チャネル又は干渉推定変調シンボルをデータ変調シンボルのシーケンスに挿入することと、
データ変調シンボルの前記シーケンス中の変調シンボルのグループに対して離散フーリエ変換（ＤＦＴ）を実行することと、変調シンボルの前記グループが、前記チャネル又は干渉推定変調シンボルのうちの少なくとも１つを含む、
前記ＤＦＴの出力に少なくとも部分的に基づいて、シングルキャリア周波数領域変調（ＳＣ−ＦＤＭ）シンボルストリームを生成することと
を備える、方法。
【請求項２】
前記チャネル又は干渉推定変調シンボルが、０シンボル又は既知の非０シンボルのうちの少なくとも１つを備える、請求項１に記載の方法。
【請求項３】
基地局からチャネル又は干渉推定変調シンボル挿入命令を受信することを更に備え、ここにおいて、前記チャネル又は干渉推定変調シンボルが、前記チャネル又は干渉推定変調シンボル挿入命令に従ってデータ変調シンボルの前記シーケンスに挿入される、
請求項１に記載の方法。
【請求項４】
前記チャネル又は干渉推定変調シンボル挿入命令が、前記基地局からの送信許可に関して受信される、請求項３に記載の方法。
【請求項５】
前記チャネル又は干渉推定変調シンボル挿入命令が疑似静的命令を備える、請求項３に記載の方法。
【請求項６】
前記チャネル又は干渉推定変調シンボル挿入命令に少なくとも部分的に基づいて、チャネル又は干渉推定変調シンボル挿入条件を識別すること
を更に備える、請求項３に記載の方法。
【請求項７】
ユーザ固有挿入期間オフセットを決定すること
を更に備え、
ここにおいて、前記チャネル又は干渉推定変調シンボルが、前記ユーザ固有挿入期間オフセットに従ってデータ変調シンボルの前記シーケンスに挿入される、
請求項１に記載の方法。
【請求項８】
前記チャネル又は干渉推定変調シンボルが、前記データ変調シンボルに関する低減された変調次数を有する、請求項１に記載の方法。
【請求項９】
前記チャネル又は干渉推定変調シンボルの各々が、前記ＳＣ−ＦＤＭシンボルストリームのために割り振られた幾つかのリソースブロック内の全ての周波数にわたる、請求項１に記載の方法。
【請求項１０】
同数のチャネル又は干渉推定変調シンボルが、前記ＳＣ−ＦＤＭシンボルストリームの各ＳＣ−ＦＤＭシンボ中に含まれる、請求項１に記載の方法。
【請求項１１】
データ変調シンボルの前記シーケンス中のデータ変調シンボルが、前記チャネル又は干渉推定変調シンボルにレートマッチングされる、請求項１に記載の方法。
【請求項１２】
前記レートマッチングが、適応可能であり、データ変調シンボルの前記シーケンスに少なくとも部分的に基づく、請求項１１に記載の方法。
【請求項１３】
ワイヤレス通信のための装置であって、
チャネル又は干渉推定変調シンボルをデータ変調シンボルのシーケンスに挿入するための手段と、
データ変調シンボルの前記シーケンス中の変調シンボルのグループに対して離散フーリエ変換（ＤＦＴ）を実行するための手段と、変調シンボルの前記グループが、前記チャネル又は干渉推定変調シンボルのうちの少なくとも１つを含む、
前記ＤＦＴの出力に少なくとも部分的に基づいて、シングルキャリア周波数領域変調（ＳＣ−ＦＤＭ）シンボルストリームを生成するための手段と
を備える、装置。
【請求項１４】
前記チャネル又は干渉推定変調シンボルが、０シンボル又は既知の非０シンボルのうちの少なくとも１つを備える、請求項１３に記載の装置。
【請求項１５】
基地局からチャネル又は干渉推定変調シンボル挿入命令を受信するための手段を更に備え、ここにおいて、前記チャネル又は干渉推定変調シンボルが、前記チャネル又は干渉推定変調シンボル挿入命令に従ってデータ変調シンボルの前記シーケンスに挿入される、
請求項１３に記載の装置。
【請求項１６】
前記チャネル又は干渉推定変調シンボル挿入命令が、前記基地局からの送信許可に関して受信される、請求項１５に記載の装置。
【請求項１７】
前記チャネル又は干渉推定変調シンボル挿入命令に少なくとも部分的に基づいて、チャネル又は干渉推定変調シンボル挿入条件を識別するための手段
を更に備える、請求項１５に記載の装置。
【請求項１８】
ユーザ固有挿入期間オフセットを決定するための手段
を更に備え、
ここにおいて、前記チャネル又は干渉推定変調シンボルが、前記ユーザ固有挿入期間オフセットに従ってデータ変調シンボルの前記シーケンスに挿入される、
請求項１５に記載の装置。
【請求項１９】
同数のチャネル又は干渉推定変調シンボルが、前記ＳＣ−ＦＤＭシンボルストリームの各ＳＣ−ＦＤＭシンボ中に含まれる、請求項１３に記載の装置。
【請求項２０】
ワイヤレス通信のための方法であって、
少なくとも１つのシングルキャリア周波数領域変調（ＳＣ−ＦＤＭ）シンボルストリームの各々について複数のデータ変調シンボル及びチャネル又は干渉推定変調シンボルを復元するために、前記少なくとも１つのＳＣ−ＦＤＭシンボルストリームの各々について離散フーリエ変換（ＤＦＴ）のトーンデマッピングされた出力に対して逆離散フーリエ変換（ＩＤＦＴ）を実行することと、
前記チャネル又は干渉推定変調シンボルに少なくとも部分的に基づいて干渉を推定することと、
推定された前記干渉に少なくとも部分的に基づいて前記データ変調シンボルを復号することと
を備える、方法。
【請求項２１】
各トーンデマッピングされた出力に対して等化を実行すること
を更に備え、
ここにおいて、前記ＩＤＦＴが、各等化されたトーンデマッピングされた出力に対して実行される、
請求項２０に記載の方法。
【請求項２２】
前記チャネル又は干渉推定変調シンボルが、０シンボル又は既知の非０シンボルのうちの少なくとも１つを備える、請求項２０に記載の方法。
【請求項２３】
ＳＣ−ＦＤＭシンボルストリームに対応する前記チャネル又は干渉推定変調シンボルが、前記ＳＣ−ＦＤＭシンボルストリームに対応する前記データ変調シンボルに関する低減された変調次数を有する、請求項２０に記載の方法。
【請求項２４】
異なるユーザに関連する複数のＳＣ−ＦＤＭシンボルストリームを受信することと、
ユーザ固有挿入期間オフセットに従って、異なるＳＣ−ＦＤＭシンボルストリームから前記異なるユーザに対応するチャネル又は干渉推定変調シンボルを復元することと
を更に備える、請求項２０に記載の方法。
【請求項２５】
第１のＳＣ−ＦＤＭシンボルストリームに対応する変調シンボルの第１のグループ内の第１の複数のデータ変調シンボルが、第２のＳＣ−ＦＤＭシンボルストリームに対応する変調シンボルの第２のグループ内の第１の複数のチャネル又は干渉推定変調シンボルのために推定された干渉に少なくとも部分的に基づいて復号される、請求項２０に記載の方法。
【請求項２６】
ワイヤレス通信のための装置であって、
少なくとも１つのシングルキャリア周波数領域変調（ＳＣ−ＦＤＭ）シンボルストリームの各々について複数のデータ変調シンボル及びチャネル又は干渉推定変調シンボルを復元するために、前記少なくとも１つのＳＣ−ＦＤＭシンボルストリームの各々について離散フーリエ変換（ＤＦＴ）のトーンデマッピングされた出力に対して逆離散フーリエ変換（ＩＤＦＴ）を実行するための手段と、
前記チャネル又は干渉推定変調シンボルに少なくとも部分的に基づいて干渉を推定するための手段と、
推定された前記干渉に少なくとも部分的に基づいて前記データ変調シンボルを復号するための手段と
を備える、装置。
【請求項２７】
各トーンデマッピングされた出力に対して等化を実行するための手段
を更に備え、
ここにおいて、前記ＩＤＦＴが、各等化されたトーンデマッピングされた出力に対して実行される、
請求項２６に記載の装置。
【請求項２８】
前記チャネル又は干渉推定変調シンボルが、０シンボル又は知られている非０シンボルのうちの少なくとも１つを備える、請求項２６に記載の装置。
【請求項２９】
異なるユーザに関連する複数のＳＣ−ＦＤＭシンボルストリームを受信するための手段と、
ユーザ固有挿入期間オフセットに従って、異なるＳＣ−ＦＤＭシンボルストリームから前記異なるユーザに対応するチャネル又は干渉推定変調シンボルを復元するための手段と
を更に備える、請求項２６に記載の装置。
【請求項３０】
第１のＳＣ−ＦＤＭシンボルストリームに対応する変調シンボルの第１のグループ内の第１の複数のデータ変調シンボルが、第２のＳＣ−ＦＤＭシンボルストリームに対応する変調シンボルの第２のグループ内の第１の複数のチャネル又は干渉推定変調シンボルのために推定された干渉に少なくとも部分的に基づいて復号される、請求項２６に記載の装置。
【発明の詳細な説明】
【技術分野】
【０００１】
相互参照
[0001]本特許出願は、各々が本出願の譲受人に譲渡された、２０１６年３月９日に出願された、「Channel or Interference Estimation for SC-FDM Symbol Streams」と題する、Ｇａａｌらによる米国特許出願第１５／０６５，２７２号、及び２０１５年３月１０日に出願された、「Interference Estimation for SC-FDM Symbol Streams」と題する、Ｇａａｌらによる米国仮特許出願第６２／１３１，０８１号の優先権を主張する。
【０００２】
[0002]本開示は、例えば、ワイヤレス通信システムに関し、より詳細には、シングルキャリア周波数分割変調（ＳＣ−ＦＤＭ：single-carrier frequency-division modulated）シンボルストリームに関連する干渉を推定するための技法に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（例えば、時間、周波数及び電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム（即ち、異なる機器中のシステムが異なる直交リソースを介して異なるＳＣ−ＦＤＭシンボルストリームを送信する）、及び直交周波数分割多元接続（ＯＦＤＭＡ）システムがある。
【０００４】
[0004]例として、ワイヤレス多元接続通信システムは、場合によってはユーザ機器（ＵＥ）として知られる、複数の通信機器のための通信を各々が同時にサポートする、幾つかの基地局を含み得る。基地局は、（例えば、基地局からＵＥへの送信のために）ダウンリンクチャネル上でＵＥと通信し、（例えば、ＵＥから基地局への送信のために）アップリンクチャネル上でＵＥと通信し得る。
【０００５】
[0005]幾つかの通信モードは、セルラーネットワークの共有無線周波数スペクトル上での、又は異なる無線周波数スペクトル（例えば、専用無線周波数スペクトル及び共有無線周波数スペクトル）上での基地局とＵＥとの間の通信を可能にし得る。専用（例えば、認可）無線周波数スペクトルを使用するセルラーネットワークにおけるデータトラフィックの増加とともに、少なくとも一部のデータトラフィックの、共有無線周波数スペクトルへのオフローディングは、セルラー事業者に拡張データ送信容量のための機会を与え得る。共有無線周波数スペクトルはまた、専用無線周波数スペクトルへのアクセスが利用不可能であるエリア中でサービスを与え得る。
【発明の概要】
【０００６】
[0006]本開示は、例えば、ワイヤレス通信システムに関し、より詳細には、ＳＣ−ＦＤＭシンボルストリームに関連する干渉を推定するための技法に関する。ＳＣ−ＦＤＭシンボルストリームが専用無線周波数スペクトル上でＵＥと基地局との間で送信されるとき、専用無線周波数スペクトル上で行われる送信のタイミング及び構造（例えば、リソース割振り及びサブフレーム構造）が制御され得、送信間の予想される干渉を緩和するためのステップが取られ得る。しかしながら、ＳＣ−ＦＤＭシンボルストリームが共有無線周波数スペクトル上でＵＥと基地局との間で送信されるとき、他のタイプの通信構造（例えば、ワイヤレスローカルエリアネットワーク（ＷＬＡＮ）又はＷｉ−Ｆｉ（登録商標）通信構造）を使用するワイヤレス機器が未知の性質の干渉をもたらし得、ＳＣ−ＦＤＭシンボルストリーム中に含まれるデータを復号するとき、この干渉を検出し、除去することが有益であり得る。幾つかの場合には、干渉は突発的（bursty）（例えば、間欠的及び短い時間間隔にわたって出現すること）であり、検出し、除去することが比較的より困難になり得る。
【０００７】
[0007]例示的な例の第１のセットでは、ワイヤレス通信のための方法について説明する。一構成では、本方法は、チャネル又は干渉推定変調シンボルをデータ変調シンボルのシーケンスに挿入することと、データ変調シンボルのシーケンス中の変調シンボルのグループに対して離散フーリエ変換（ＤＦＴ）を実行することと、変調シンボルのグループが、チャネル又は干渉推定変調シンボルのうちの少なくとも１つを含む、ＤＦＴの出力に少なくとも部分的に基づいて、ＳＣ−ＦＤＭシンボルストリームを生成することとを含み得る。
【０００８】
[0008]本方法の幾つかの例では、チャネル又は干渉推定変調シンボルは、０シンボル又は知られている非０シンボルのうちの少なくとも１つを含み得る。幾つかの例では、本方法は、基地局からチャネル又は干渉推定変調シンボル挿入命令を受信することを含み得、チャネル又は干渉推定変調シンボルは、チャネル又は干渉推定変調シンボル挿入命令に従ってデータ変調シンボルのシーケンスに挿入され得る。幾つかの例では、チャネル又は干渉推定変調シンボル挿入命令は、基地局からの送信許可に関して受信され得る。幾つかの例では、チャネル又は干渉推定変調シンボル挿入命令は疑似静的命令（semi-static instruction）を含み得る。幾つかの例では、本方法は、チャネル又は干渉推定変調シンボル挿入命令（channel or interference estimation modulation symbol insertion instruction）に少なくとも部分的に基づいて、チャネル又は干渉推定変調シンボル挿入条件（channel or interference estimation modulation symbol insertion policy）を識別することを更に含み得る。
【０００９】
[0009]幾つかの例では、本方法は、ユーザ固有挿入期間オフセット（user-specific insertion period offset）を決定することを含み得、チャネル又は干渉推定変調シンボルは、ユーザ固有挿入期間オフセットに従ってデータ変調シンボルのシーケンスに挿入され得る。幾つかの例では、チャネル又は干渉推定変調シンボルは、データ変調シンボルに関する低減された変調次数を有し得る。幾つかの例では、チャネル又は干渉推定変調シンボルの各々は、ＳＣ−ＦＤＭシンボルストリームのために割り振られた幾つかのリソースブロック内のＨの周波数にわたり得る。幾つかの例では、同数のチャネル又は干渉推定変調シンボルが、ＳＣ−ＦＤＭシンボルストリームの各ＳＣ−ＦＤＭシンボル中に含まれ得る。幾つかの例では、データ変調シンボルのシーケンス中のデータ変調シンボルが、チャネル又は干渉推定変調シンボルにレートマッチングされ得る。
【００１０】
[0010]例示的な例の第２のセットでは、ワイヤレス通信のための装置について説明する。一構成では、本装置は、チャネル又は干渉推定変調シンボルをデータ変調シンボルのシーケンスに挿入するための手段と、データ変調シンボルのシーケンス中の変調シンボルのグループに対してＤＦＴを実行するための手段と、変調シンボルのグループが、チャネル又は干渉推定変調シンボルのうちの少なくとも１つを含む、ＤＦＴの出力に少なくとも部分的に基づいて、ＳＣ−ＦＤＭシンボルストリームを生成するための手段とを含み得る。幾つかの例では、本装置は、例示的な例の第１のセットに関して上記で説明したワイヤレス通信のための方法の１つ又は複数の態様を実装するための手段を更に含み得る。
【００１１】
[0011]例示的な例の第３のセットでは、ワイヤレス通信のための別の装置について説明する。一構成では、本装置は、プロセッサと、プロセッサと電子通信しているメモリと、メモリに記憶された命令とを含み得る。命令は、チャネル又は干渉推定変調シンボルをデータ変調シンボルのシーケンスに挿入することと、データ変調シンボルのシーケンス中の変調シンボルのグループに対してＤＦＴを実行することと、変調シンボルのグループが、チャネル又は干渉推定変調シンボルのうちの少なくとも１つを含む、ＤＦＴの出力に少なくとも部分的に基づいて、ＳＣ−ＦＤＭシンボルストリームを生成することとを行うためにプロセッサによって実行可能であり得る。幾つかの例では、命令はまた、例示的な例の第１のセットに関して上記で説明したワイヤレス通信のための方法の１つ又は複数の態様を実装するためにプロセッサによって実行可能であり得る。
【００１２】
[0012]例示的な例の第４のセットでは、プロセッサによって実行可能な命令を記憶するためのコンピュータ可読媒体について説明する。一構成では、コンピュータ可読媒体は、チャネル又は干渉推定変調シンボルをデータ変調シンボルのシーケンスに挿入するための命令と、データ変調シンボルのシーケンス中の変調シンボルのグループに対してＤＦＴを実行するための命令と、変調シンボルのグループが、チャネル又は干渉推定変調シンボルのうちの少なくとも１つを含む、ＤＦＴの出力に少なくとも部分的に基づいて、ＳＣ−ＦＤＭシンボルストリームを生成するための命令とを含み得る。幾つかの例では、コンピュータ可読媒体はまた、例示的な例の第１のセットに関して上記で説明したワイヤレス通信のための方法の１つ又は複数の態様を実装するための命令を含み得る。
【００１３】
[0013]例示的な例の第５のセットでは、ワイヤレス通信のための別の方法について説明する。一構成では、本方法は、少なくとも１つのＳＣ−ＦＤＭシンボルストリームの各々について複数のデータ変調シンボル及びチャネル又は干渉推定変調シンボルを復元するために、少なくとも１つのＳＣ−ＦＤＭシンボルストリームの各々についてＤＦＴのトーンデマッピングされた出力に対して逆ＤＦＴ（ＩＤＦＴ）を実行することと、チャネル又は干渉推定変調シンボルに少なくとも部分的に基づいて干渉を推定することと、推定された干渉に少なくとも部分的に基づいてデータ変調シンボルを復号することとを含み得る。
【００１４】
[0014]幾つかの例では、本方法は、各トーンデマッピングされた出力に対して等化を実行することを含み得、ＩＤＦＴは、各等化されたトーンデマッピングされた出力に対して実行され得る。幾つかの例では、チャネル又は干渉推定変調シンボルは、０シンボル又は既知の非０シンボルのうちの少なくとも１つを含み得る。幾つかの例では、ＳＣ−ＦＤＭシンボルストリームに対応するチャネル又は干渉推定変調シンボルは、ＳＣ−ＦＤＭシンボルストリームに対応するデータ変調シンボルに関する低減された変調次数を有し得る。
【００１５】
[0015]幾つかの例では、本方法は、異なるユーザに関連する複数のＳＣ−ＦＤＭシンボルストリームを受信することと、ユーザ固有挿入期間オフセットに従って、異なるＳＣ−ＦＤＭシンボルストリームから異なるユーザに対応するチャネル又は干渉推定変調シンボルを復元することとを含み得る。幾つかの例では、第１のＳＣ−ＦＤＭシンボルストリームに対応する変調シンボルの第１のグループ内の第１の複数のデータ変調シンボルが、第２のＳＣ−ＦＤＭシンボルストリームに対応する変調シンボルの第２のグループ内の第１の複数のチャネル又は干渉推定変調シンボルのために推定された干渉に少なくとも部分的に基づいて復号され得る。
【００１６】
[0016]例示的な例の第６のセットでは、ワイヤレス通信のための別の装置について説明する。一構成では、本装置は、少なくとも１つのＳＣ−ＦＤＭシンボルストリームの各々について複数のデータ変調シンボル及びチャネル又は干渉推定変調シンボルを復元するために、少なくとも１つのＳＣ−ＦＤＭシンボルストリームの各々についてＤＦＴのトーンデマッピングされた出力に対してＩＤＦＴを実行するための手段と、チャネル又は干渉推定変調シンボルに少なくとも部分的に基づいて干渉を推定するための手段と、推定された干渉に少なくとも部分的に基づいてデータ変調シンボルを復号するための手段とを含み得る。幾つかの例では、本装置は、例示的な例の第５のセットに関して上記で説明したワイヤレス通信のための方法の１つ又は複数の態様を実装するための手段を更に含み得る。
【００１７】
[0017]例示的な例の第７のセットでは、ワイヤレス通信のための装置について説明する。一構成では、本装置は、プロセッサと、プロセッサと電子通信しているメモリと、メモリに記憶された命令とを含み得る。命令は、少なくとも１つのＳＣ−ＦＤＭシンボルストリームの各々について複数のデータ変調シンボル及びチャネル又は干渉推定変調シンボルを復元するために、少なくとも１つのＳＣ−ＦＤＭシンボルストリームの各々についてＤＦＴのトーンデマッピングされた出力に対してＩＤＦＴを実行することと、チャネル又は干渉推定変調シンボルに少なくとも部分的に基づいて干渉を推定することと、推定された干渉に少なくとも部分的に基づいてデータ変調シンボルを復号することとを行うためにプロセッサによって実行可能であり得る。幾つかの例では、命令はまた、例示的な例の第５のセットに関して上記で説明したワイヤレス通信のための方法の１つ又は複数の態様を実装するためにプロセッサによって実行可能であり得る。
【００１８】
[0018]例示的な例の第８のセットでは、プロセッサによって実行可能な命令を記憶するための別のコンピュータ可読媒体について説明する。一構成では、コンピュータ可読媒体は、少なくとも１つのＳＣ−ＦＤＭシンボルストリームの各々について複数のデータ変調シンボル及びチャネル又は干渉推定変調シンボルを復元するために、少なくとも１つのＳＣ−ＦＤＭシンボルストリームの各々についてＤＦＴのトーンデマッピングされた出力に対してＩＤＦＴを実行するための命令と、チャネル又は干渉推定変調シンボルに少なくとも部分的に基づいて干渉を推定するための命令と、推定された干渉に少なくとも部分的に基づいてデータ変調シンボルを復号するための命令とを含み得る。幾つかの例では、コンピュータ可読媒体はまた、例示的な例の第５のセットに関して上記で説明したワイヤレス通信のための方法の１つ又は複数の態様を実装するための命令を含み得る。
【００１９】
[0019]上記では、以下の発明を実施するための形態がより良く理解され得るように、本開示による例の特徴及び技術的利点についてやや広く概説した。以下で、追加の特徴及び利点について説明する。開示する概念及び具体例は、本開示の同じ目的を実行するための他の構造を変更又は設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示及び説明の目的で与えられるものであり、特許請求の範囲の制限の定義として与えられるものではない。
【００２０】
[0020]以下の図面を参照すれば、本発明の性質及び利点の更なる理解が得られ得る。添付の図では、同様の構成要素又は特徴は同じ参照標示を有し得る。更に、同じタイプの様々な構成要素は、参照標示の後に、ダッシュと、それらの同様の構成要素の間で区別する第２の標示とを続けることによって区別され得る。第１の参照標示のみが本明細書において使用される場合、説明は、第２の参照標示にかかわらず、同じ第１の参照標示を有する同様の構成要素のうちのいずれにも適用可能である。
【図面の簡単な説明】
【００２１】
【図１】[0021]本開示の様々な態様による、ワイヤレス通信システムの一例を示す図。
【図２】[0022]本開示の様々な態様による、ＬＴＥ（登録商標）／ＬＴＥ−Ａが、共有無線周波数スペクトルを使用して異なるシナリオの下で展開され得るワイヤレス通信システムを示す図。
【図３】[0023]本開示の様々な態様による、送信機と受信機との間のＳＣ−ＦＤＭ送信のプロセスフローを示す図。
【図４】[0024]本開示の様々な態様による、ワイヤレス通信において使用するための装置のブロック図。
【図５】[0025]本開示の様々な態様による、ワイヤレス通信において使用するための装置のブロック図。
【図６】[0026]本開示の様々な態様による、ワイヤレス通信において使用するための装置のブロック図。
【図７】[0027]本開示の様々な態様による、ワイヤレス通信において使用するための装置のブロック図。
【図８】[0028]本開示の様々な態様による、ワイヤレス通信において使用するためのＵＥのブロック図。
【図９】[0029]本開示の様々な態様による、ワイヤレス通信において使用するための基地局（例えば、ｅＮＢの一部又は全部を形成する基地局）のブロック図。
【図１０】[0030]本開示の様々な態様による、ワイヤレス通信のための例示的な方法を示すフローチャート。
【図１１】[0031]本開示の様々な態様による、ワイヤレス通信のための例示的な方法を示すフローチャート。
【図１２】[0032]本開示の様々な態様による、ワイヤレス通信のための例示的な方法を示すフローチャート。
【図１３】[0033]本開示の様々な態様による、ワイヤレス通信のための例示的な方法を示すフローチャート。
【発明を実施するための形態】
【００２２】
[0034]共有無線周波数スペクトルがワイヤレス通信システム上での通信の少なくとも一部分のために使用される技法について説明する。幾つかの例では、共有無線周波数スペクトルはＬＴＥ／ＬＴＥ−Ａ通信のために使用され得る。共有無線周波数スペクトルは、専用無線周波数スペクトルと組み合わせて、又はそれとは無関係に使用され得る。専用無線周波数スペクトルは、ＬＴＥ／ＬＴＥ−Ａ通信のために使用可能な認可無線周波数スペクトルなど、無線周波数スペクトルが特定のユーザに認可されているので、送信装置がそれのためにアクセスを求めて競合しないことがある、無線周波数スペクトルであり得る。共有無線周波数スペクトルは、機器がそれのためにアクセスを求めて競合し得る、無線周波数スペクトル（例えば、Ｗｉ−Ｆｉ使用など、無認可使用のために利用可能である無線周波数スペクトル、若しくは等しく共有されるか、又は優先度を付けられた様式で複数の事業者が使用するために利用可能である無線周波数スペクトル）であり得る。
【００２３】
[0035]専用無線周波数スペクトルを使用するセルラーネットワークにおけるデータトラフィックの増加とともに、少なくとも一部のデータトラフィックの、共有無線周波数スペクトルへのオフローディングは、セルラー事業者（例えば、パブリックランドモバイルネットワーク（ＰＬＭＮ）又はＬＴＥ／ＬＴＥ−Ａネットワークなどのセルラーネットワークを画定する基地局の協調セットの事業者）に拡張データ送信容量のための機会を与え得る。共有無線周波数スペクトルの使用はまた、専用無線周波数スペクトルへのアクセスが利用不可能であるエリア中でサービスを与え得る。しかしながら、共有無線周波数スペクトルの使用は、ＵＥと基地局との間のＳＣ−ＦＤＭシンボルストリームの送信など、送信を突発的干渉にさらし得る。突発的干渉を検出し、除去することが、ＳＣ−ＦＤＭシンボルストリーム中に含まれるデータを復号するプロセスを改善し得る。
【００２４】
[0036]以下の説明は、例を与えるものであり、特許請求の範囲に記載される範囲、適用可能性、又は例を限定するものではない。本開示の範囲から逸脱することなく、説明する要素の機能及び構成において変更が行われ得る。様々な例は、適宜に様々なプロシージャ又は構成要素を省略、置換、又は追加し得る。例えば、説明する方法は、説明する順序とは異なる順序で実行され得、様々なステップが追加、省略、又は組み合わせられ得る。また、幾つかの例に関して説明する特徴は、他の例において組み合わせられ得る。
【００２５】
[0037]図１に、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、又はモビリティ機能とを与え得る。基地局１０５は、バックホールリンク１３２（例えば、Ｓ１など）を通してコアネットワーク１３０とインターフェースし得、ＵＥ１１５との通信のための無線構成及びスケジューリングを実行し得るか、又は基地局コントローラ（図示せず）の制御下で動作し得る。様々な例では、基地局１０５は、ワイヤード又はワイヤレス通信リンクであり得るバックホールリンク１３４（例えば、Ｘ１など）を介して互いと直接又は間接的に（例えば、コアネットワーク１３０を通して）通信し得る。
【００２６】
[0038]基地局１０５は、１つ又は複数の基地局アンテナを介してＵＥ１１５とワイヤレス通信し得る。基地局１０５のサイトの各々は、それぞれの地理的カバレージエリア１１０に通信カバレージを与え得る。幾つかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、又は何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（例えば、マクロ基地局又はスモールセル基地局）を含み得る。異なる技術のための重複する地理的カバレージエリア１１０があり得る。
【００２７】
[0039]幾つかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。例えば、各ｅＮＢ又は基地局１０５は、マクロセル、スモールセル、又は他のタイプのセルに通信カバレージを与え得る。「セル」という用語は、コンテキストに応じて、基地局、基地局に関連するキャリア又はコンポーネントキャリア若しくはキャリア又は基地局のカバレージエリア（例えば、セクタなど）を表すために使用され得る３ＧＰＰ（登録商標）用語である。
【００２８】
[0040]マクロセルは、比較的大きい地理的エリア（例えば、半径数キロメートル）をカバーし得、ネットワークプロバイダのサービスに加入しているＵＥによる無制限アクセスを可能にし得る。スモールセルは、マクロセルと比較して、同じ又は異なる（例えば、専用、共有などの）無線周波数スペクトルにおいてマクロセルとして動作し得る低電力基地局であり得る。スモールセルは、様々な例によれば、ピコセル、フェムトセル及びマイクロセルを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（例えば、自宅）を同じくカバーし得、フェムトセルとの関連を有するＵＥ（例えば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ又はホームｅＮＢと呼ばれることがある。ｅＮＢは、１つ又は複数の（例えば、２つ、３つ、４つなどの）セル（例えば、コンポーネントキャリア）をサポートし得る。
【００２９】
[0041]ワイヤレス通信システム１００は同期動作又は非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作又は非同期動作のいずれかのために使用され得る。
【００３０】
[0042]様々な開示する例のうちの幾つかに適応し得る通信ネットワークは、階層化プロトコルスタックに従って動作するパケットベースネットワークであり得る。ユーザプレーンでは、ベアラ又はパケットデータコンバージェンスプロトコル（ＰＤＣＰ：Packet Data Convergence Protocol）レイヤにおける通信はＩＰベースであり得る。無線リンク制御（ＲＬＣ）レイヤが、論理チャネルを介して通信するためにパケットセグメンテーション及びリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５又はコアネットワーク１３０との間のＲＲＣ接続の確立と構成と保守とを行い得る。物理（ＰＨＹ）レイヤにおいて、トランスポートチャネルは物理チャネルにマッピングされ得る。
【００３１】
[0043]ＵＥ１１５は、ワイヤレス通信システム１００全体にわたって分散され得、各ＵＥ１１５は固定又は移動であり得る。ＵＥ１１５は、移動局、加入者局、モバイルユニット、加入者ユニット、ワイヤレスユニット、リモートユニット、モバイル機器、ワイヤレス機器、ワイヤレス通信機器、リモート機器、モバイル加入者局、アクセス端末、モバイル端末、ワイヤレス端末、リモート端末、ハンドセット、ユーザエージェント、モバイルクライアント、クライアント、又は何らかの他の好適な用語を含むか、若しくはそのように当業者によって呼ばれることもある。ＵＥ１１５は、セルラーフォン、携帯情報端末（ＰＤＡ）、ワイヤレスモデム、ワイヤレス通信機器、ハンドヘルド機器、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局及びネットワーク機器と通信することが可能であり得る。
【００３２】
[0044]ワイヤレス通信システム１００に示された通信リンク１２５は、基地局１０５からＵＥ１１５へのダウンリンク（ＤＬ）送信又はＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。
【００３３】
[0045]幾つかの例では、各通信リンク１２５は１つ又は複数のキャリアを含み得、ここで、各キャリアは、上記で説明した様々な無線技術に従って変調された複数のサブキャリア（例えば、異なる周波数の波形信号）からなる信号であり得る。各被変調信号は、異なるサブキャリア上で送られ得、制御情報（例えば、基準信号、制御チャネルなど）、オーバーヘッド情報、ユーザデータなどを搬送し得る。通信リンク１２５は、周波数領域複信（ＦＤＤ）動作を使用して（例えば、対スペクトルリソースを使用して）、又は時間領域複信（ＴＤＤ）動作を使用して（例えば、不対スペクトルリソースを使用して）双方向通信を送信し得る。ＦＤＤ動作のためのフレーム構造（例えば、フレーム構造タイプ１）とＴＤＤ動作のためのフレーム構造（例えば、フレーム構造タイプ２）とが定義され得る。
【００３４】
[0046]ワイヤレス通信システム１００の幾つかの例では、基地局１０５又はＵＥ１１５は、基地局１０５とＵＥ１１５との間の通信品質と信頼性とを改善するために、アンテナダイバーシティ方式を採用するために複数のアンテナを含み得る。追加又は代替として、基地局１０５又はＵＥ１１５は、同じ又は異なるコード化データを搬送する複数の空間レイヤを送信するために、マルチパス環境を利用し得る多入力多出力（ＭＩＭＯ）技法を採用し得る。
【００３５】
[0047]ワイヤレス通信システム１００は、複数のセル又はキャリア上での動作、即ち、キャリアアグリゲーション（ＣＡ）又はデュアル接続性動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」及び「チャネル」という用語は、本明細書では互換的に使用されることがある。ＵＥ１１５は、キャリアアグリゲーションのために、複数のダウンリンクＣＣと１つ又は複数のアップリンクＣＣとで構成され得る。キャリアアグリゲーションは、ＦＤＤコンポーネントキャリアとＴＤＤコンポーネントキャリアの両方とともに使用され得る。
【００３６】
[0048]幾つかの例では、ワイヤレス通信システム１００は、専用無線周波数スペクトル（例えば、ＬＴＥ／ＬＴＥ−Ａ通信のために使用可能な認可無線周波数スペクトルなど、無線周波数スペクトルが、特定の使用のために特定のユーザに認可されているので、送信装置がそれのためにアクセスを求めて競合しないことがある、無線周波数スペクトル）又は共有無線周波数スペクトル（例えば、送信装置がそれのためにアクセスを求めて競合し得る、無線周波数スペクトル（例えば、Ｗｉ−Ｆｉ使用など、無認可使用のために利用可能である無線周波数スペクトル、若しくは等しく共有されるか、又は優先度を付けられた様式で複数の事業者が使用するために利用可能である無線周波数スペクトル））上での動作をサポートし得る。
【００３７】
[0049]幾つかの例では、送信を行うために基地局１０５又はＵＥ１１５によって使用され得るリソースブロック（ＲＢ：resource block）は、１２×１４＝１６８個のリソース要素（ＲＥ、例えば、サブフレーム中の１４個のシンボル期間を乗算された１２個の周波数サブキャリア）を有し得る。共有無線周波数スペクトル中で、及び幾つかの例では、１００個のリソースブロックが、ダウンリンク送信又はアップリンク送信のために並列に割り振られ得る。幾つかの例では（例えば、アップリンク送信の場合）、送信装置に割り振られたリソース（例えば、ＲＢ）は、１つ又は複数の他の送信機に割り振られたリソースとインターリーブされ得る。幾つかの例では、送信装置は、リソースの１つ又は複数のインターレース（例えば、各インターレースが、割振り可能な共有無線周波数スペクトルにわたる他のリソースブロックとインターリーブされる１０個のリソースブロックのセットを含む、１０個のインターレースのうちの１つ又は複数）を割り振られ得る。代替的に、連続リソースが送信装置に割り振られ得る。
【００３８】
[0050]図１に示されているように、１つ又は複数のＷＬＡＮアクセスポイント１４５又は他の機器（例えば、ＷＬＡＮ局）が、ワイヤレス通信システム１００のフットプリント内で（例えば、基地局１０５のカバレージエリア内で、又はＵＥ１１５の通信範囲内で）送信又は受信し得る。アクセスポイント１４５又は他の機器は、基地局１０５及びＵＥ１１５によって使用される共有無線周波数スペクトル上で送信し得る。幾つかの場合には、基地局１０５及びＵＥ１１５は、共有無線周波数スペクトルへのアクセスを求めて競合し、基地局１０５又はＵＥ１１５が送信している間、アクセスポイント１４５又は他の機器に共有無線周波数スペクトル上で送信することを控えさせるチャネル予約信号を共有無線周波数スペクトル上で送信し得る。しかしながら、アクセスポイント１４５又は他の機器が、チャネル予約信号を受信せず、いずれにせよ送信し、それにより、基地局１０５とＵＥ１１５との間の送信に干渉するシナリオが起こり得る。時々、アクセスポイント１４５又は他の機器による送信は突発的であり得る（例えば、送信は、１ミリ秒（ｍｓ）よりも少なく持続し得る）。本開示は、そのような突発的干渉を推定する（及び幾つかの例では、データ変調シンボルの復号中にデータ変調シンボルからそのような突発的干渉を減算する）ための技法について説明する。
【００３９】
[0051]図２に、本開示の様々な態様による、ＬＴＥ／ＬＴＥ−Ａが、共有無線周波数スペクトルを使用して異なるシナリオの下で展開され得るワイヤレス通信システム２００を示す。より詳細には、図２は、ＬＴＥ／ＬＴＥ−Ａが共有無線周波数スペクトルを使用して展開される、（認可支援アクセスモードとも呼ばれる）補足ダウンリンクモードと、キャリアアグリゲーションモードと、スタンドアロンモードとの例を示している。ワイヤレス通信システム２００は、図１を参照しながら説明したワイヤレス通信システム１００の部分の一例であり得る。その上、第１の基地局２０５及び第２の基地局２０５−ａは、図１を参照しながら説明した基地局１０５のうちの１つ又は複数の態様の例であり得、第１のＵＥ２１５、第２のＵＥ２１５−ａ、第３のＵＥ２１５−ｂ及び第４のＵＥ２１５−ｃは、図１を参照しながら説明したＵＥ１１５のうちの１つ又は複数の態様の例であり得る。
【００４０】
[0052]ワイヤレス通信システム２００における補足ダウンリンクモード（例えば、認可支援アクセスモード）の例では、第１の基地局２０５は、ダウンリンクチャネル２２０を使用して第１のＵＥ２１５にＯＦＤＭＡ波形を送信し得る。ダウンリンクチャネル２２０は、共有無線周波数スペクトルにおける周波数Ｆ１に関連し得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、専用無線周波数スペクトルにおける周波数Ｆ４に関連し得る。共有無線周波数スペクトルにおけるダウンリンクチャネル２２０及び専用無線周波数スペクトルにおける第１の双方向リンク２２５は、同時に動作し得る。ダウンリンクチャネル２２０は第１の基地局２０５にダウンリンク容量オフロードを与え得る。幾つかの例では、ダウンリンクチャネル２２０は、（例えば、１つのＵＥに宛てられた）ユニキャストサービスのために、又は（例えば、幾つかのＵＥに宛てられた）マルチキャストサービスのために使用され得る。このシナリオは、専用無線周波数スペクトルを使用し、トラフィック又はシグナリング輻輳の一部を軽減することから恩恵を受けるであろう、任意のサービスプロバイダ（例えば、モバイルネットワーク事業者（ＭＮＯ））に関して発生し得る。
【００４１】
[0053]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形又はリソースブロックインターリーブＦＤＭＡ波形を受信し得る。第２の双方向リンク２３０は、共有無線周波数スペクトルにおける周波数Ｆ１に関連し得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、専用無線周波数スペクトルにおける周波数Ｆ２に関連し得る。第２の双方向リンク２３０は、第１の基地局２０５にダウンリンク及びアップリンク容量オフロードを与え得る。上記で説明した補足ダウンリンク（例えば、認可支援アクセスモード）のように、このシナリオは、専用無線周波数スペクトルを使用し、トラフィック又はシグナリング輻輳の一部を軽減することから恩恵を受けるであろう、任意のサービスプロバイダ（例えば、ＭＮＯ）に関して発生し得る。
【００４２】
[0054]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形又はリソースブロックインターリーブ波形を受信し得る。第４の双方向リンク２４０は、共有無線周波数スペクトルにおける周波数Ｆ３に関連し得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、専用無線周波数スペクトルにおける周波数Ｆ２に関連し得る。第４の双方向リンク２４０は、第１の基地局２０５にダウンリンク及びアップリンク容量オフロードを与え得る。この例及び上記で与えた例は説明の目的で提示され、容量オフロードのために、専用無線周波数スペクトルにおけるＬＴＥ／ＬＴＥ−Ａを組み合わせ、共有無線周波数スペクトルを使用する他の同様の動作モード又は展開シナリオがあり得る。
【００４３】
[0055]上記で説明したように、共有無線周波数スペクトルにおけるＬＴＥ／ＬＴＥ−Ａを使用することによって提供される容量オフロードから恩恵を受け得る１つのタイプのサービスプロバイダは、専用無線周波数スペクトルＬＴＥ／ＬＴＥ−Ａへのアクセス権利を有する旧来のＭＮＯである。これらのサービスプロバイダの場合、動作例は、専用無線周波数スペクトル上のＬＴＥ／ＬＴＥ−Ａ１次コンポーネントキャリア（ＰＣＣ）と共有無線周波数スペクトル上の少なくとも１つの２次コンポーネントキャリア（ＳＣＣ）とを使用するブートストラップモード（例えば、補足ダウンリンク（例えば、認可支援アクセス）、キャリアアグリゲーション）を含み得る。
【００４４】
[0056]キャリアアグリゲーションモードでは、データ及び制御は、例えば、専用無線周波数スペクトルにおいて（例えば、第１の双方向リンク２２５、第３の双方向リンク２３５及び第５の双方向リンク２４５を介して）通信され得るが、データは、例えば、共有無線周波数スペクトルにおいて（例えば、第２の双方向リンク２３０及び第４の双方向リンク２４０を介して）通信され得る。共有無線周波数スペクトルを使用するときにサポートされるキャリアアグリゲーション機構は、ハイブリッド周波数分割複信−時分割複信（ＦＤＤ−ＴＤＤ）キャリアアグリゲーション又はコンポーネントキャリアにわたる異なる対称性を伴うＴＤＤ−ＴＤＤキャリアアグリゲーションに入り得る。
【００４５】
[0057]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形又はリソースブロックインターリーブＦＤＭＡ波形を受信し得る。双方向リンク２５０は、共有無線周波数スペクトルにおける周波数Ｆ３に関連し得る。スタンドアロンモードは、スタジアム内アクセス（例えば、ユニキャスト、マルチキャスト）など、非旧来型ワイヤレスアクセスシナリオにおいて使用され得る。この動作モードのためのサービスプロバイダのタイプの一例は、専用無線周波数スペクトルへのアクセスを有しない、スタジアム所有者、ケーブル会社、イベント主催者、ホテル、企業又は大企業であり得る。
【００４６】
[0058]図３に、本開示の様々な態様による、送信機３１５と受信機３０５との間のＳＣ−ＦＤＭ送信のプロセスフロー３００を示す。送信機３１５は、図１又は図２を参照しながら説明したＵＥ１１５、２１５、２１５−ａ、２１５−ｂ又は２１５−ｃのうちの１つ又は複数の態様の一例であり得、受信機３０５は、図１又は図２を参照しながら説明した基地局１０５、２０５又は２０５−ａのうちの１つ又は複数の態様の一例であり得る。
【００４７】
[0059]３３０において、及び送信機３１５において、チャネル又は干渉推定変調シンボル３２５（例えば、０）が、データ変調シンボル３２０（例えば、データ変調シンボルｘ0、ｘ1、ｘ2、ｘ3、ｘ4、ｘ5、．．．）のシーケンスに挿入され得る。データ変調シンボルは、４位相シフトキーイング（ＱＰＳＫ）シンボル、１６直交振幅変調（１６ＱＡＭ）シンボル、６４ＱＡＭシンボルなどのうちのいずれかを含み得る。チャネル又は干渉推定変調シンボルは、０シンボル又は知られている非０シンボル（即ち、受信機３０５にアプリオリに知られる値を有するシンボル）を含み得る。知られている非０シンボルは、幾つかの場合には、送信機３１５においてチャネル推定を向上させるために使用され得る。一方、知られている非０シンボルに基づく測定された干渉は、チャネル推定スケーリングエラーによってバイアスされ得る（これは、１６ＱＡＭシンボル又は６４ＱＡＭシンボルの場合、チャネル推定スケーリングエラーが、測定された干渉を増加させるので、良好であり、ＱＰＳＫシンボルの場合、チャネル推定スケーリングエラーが、測定された干渉を明らかに増加させないので、あまり望ましくないことがある）。幾つかの例では、データ変調シンボル３２０のシーケンス中のデータ変調シンボルが、チャネル又は干渉推定変調シンボル３２５にレートマッチングされ得る。レートマッチングは、例えば、より低次の変調方式が使用され、より少数のチャネル又は干渉推定変調シンボルが、データ変調シンボルをレートマッチングするために必要とされる場合（及び、より高次の変調方式が使用される場合、その逆も同様）、適応可能であり得る。
【００４８】
[0060]幾つかの例では、チャネル又は干渉推定変調シンボル３２５は、送信機３１５から受信機３０５に送信される命令（例えば、チャネル又は干渉推定変調シンボル挿入命令）に応答して、データ変調シンボル３２０のシーケンスに挿入され得る。命令は、送信許可（例えば、アップリンク許可）又は制御シグナリングに関して、受信機３０５において受信され得る。命令は、疑似静的命令又は動的命令を含み得る。幾つかの例では、受信機３０５は、命令に少なくとも部分的に基づいて、チャネル又は干渉推定変調シンボル挿入条件を識別し得る。受信機３０５は、チャネル又は干渉推定変調シンボル３２５を挿入するためのユーザ固有（例えば、ＵＥ固有）挿入期間オフセットをも決定し得る。
【００４９】
[0061]３３５において、データ変調シンボルのシーケンス中の変調シンボルのグループに対して離散フーリエ変換（ＤＦＴ、例えばＮ点ＤＦＴ）が実行され得る。変調シンボルのグループは、チャネル又は干渉推定変調シンボルのうちの少なくとも１つを含み得る。ＤＦＴに続いて、ＳＣ−ＦＤＭシンボルストリームが生成され得る。幾つかの例では、ＳＣ−ＦＤＭシンボルストリームを生成することは、ＤＦＴの出力に少なくとも部分的に基づいてトーンマッピング３４０（即ち、サブキャリアマッピング）を実行することを含み得る。幾つかのシステムでは、トーンマッピングは、連続するトーンに対して実行され得るが、トーンマッピング３４０は、非連続トーンに対しても実行され得る。トーンマッピングの出力から、逆高速フーリエ変換（ＩＦＦＴ、例えば、Ｍ点ＩＦＦＴ）３４５が実行される。幾つかの例では、同数のチャネル又は干渉推定変調シンボルが、ＳＣ−ＦＤＭシンボルストリームの各ＳＣ−ＦＤＭシンボル中に含まれ得る。
【００５０】
[0062]３５０において、ＳＣ−ＦＤＭシンボルストリームは、送信機３１５から受信機３０５に送信され得る。送信機３１５がＵＥであるとき、ＳＣ−ＦＤＭシンボルストリームは、アップリンクチャネル上で基地局に送信され得る。幾つかの例では、同数のチャネル又は干渉推定変調シンボルが、ＳＣ−ＦＤＭシンボルストリームの各ＳＣ−ＦＤＭシンボル中に含まれ得る。幾つかの例では、ＳＣ−ＦＤＭシンボルストリームは、共有無線周波数スペクトル（例えば、Ｗｉ−Ｆｉ使用など、無認可使用のために利用可能である無線周波数スペクトル、若しくは等しく共有されるか、又は優先度を付けられた様式で複数の事業者が使用するために利用可能である無線周波数スペクトル）上で送信され得る。
【００５１】
[0063]受信機３０５は、送信機３１５によって送信されたＳＣ−ＦＤＭシンボルストリームを受信し、３５５において、ＳＣ−ＦＤＭシンボルストリームに対して高速フーリエ変換（ＦＦＴ、例えば、Ｍ点ＦＦＴ）を実行し得る。幾つかの例では、受信機３０５は、複数のＳＣ−ＦＤＭシンボルストリームを並列に受信し得、異なるＳＣ−ＦＤＭシンボルストリームは異なるユーザ（例えば、異なる送信機又はＵＥ）（図示せず）から受信され、ＦＦＴが、各ＳＣ−ＦＤＭシンボルストリームに対して実行され得る。
【００５２】
[0064]３６０において、各ＤＦＴの出力に対してトーンデマッピングが実行され得、各ＤＦＴのトーンデマッピングされた出力に対して等化及びチャネル推定が実行され得る。等化は不完全であり得るので、残差ＩＳＩが等化の後に残り得、残差ＩＳＩは、３８５において（１つ又は複数の）干渉推定値を歪ませ得る。しかしながら、残差ＩＳＩは、チャネル又は干渉推定出力の一体部分と見なされ、復号中に除去され得る。
【００５３】
[0065]３６５において、各受信されたＳＣ−ＦＤＭシンボルストリームに対応する複数のデータ変調シンボル及びチャネル又は干渉推定変調シンボル３７０を復元するために、各等化されたトーンデマッピングされた出力に対して逆ＤＦＴ（ＩＤＦＴ）が実行され得る。幾つかの例では、データ変調シンボル３７５（例えば、データ変調シンボルｘ0、ｘ1、ｘ2、ｘ3、ｘ4、ｘ5、．．．）が、チャネル又は干渉推定変調シンボル３８０（例えば、ｎ0、ｎ1、ｎ2、．．．）から分離され得る。幾つかの例では、異なるユーザに対応するチャネル又は干渉推定変調シンボルが、ユーザ固有挿入期間オフセットに従って、異なるＳＣ−ＦＤＭシンボルストリームから復元され得る。
【００５４】
[0066]３８５において、干渉（例えば、信号対雑音比（ＳＮＲ））が、チャネル又は干渉推定変調シンボル３８０に少なくとも部分的に基づいて推定（例えば、測定）され得る。チャネル又は干渉推定変調シンボル３８０が、知られている非０シンボルを備えるとき、チャネル又は干渉は、知られている非０シンボルをそれらのそれぞれのチャネル又は干渉推定変調シンボル３８０から減算した後に残る信号から推定され得る。３９０において、データ変調シンボル３７５が、推定された干渉に少なくとも部分的に基づいて復号され得る。
【００５５】
[0067]プロセスフロー３００の幾つかの例では、データ変調シンボル３２０のシーケンスに挿入されるチャネル又は干渉推定変調シンボル３２５は、データ変調シンボルに関する低減された変調次数を有し得る。これは、受信機３０５が、チャネル又は干渉推定変調シンボル３２５のためのより信頼できるシンボルレベルコンスタレーションポイント検出を実行することを可能にし得る。
【００５６】
[0068]ＳＣ−ＦＤＭシンボルストリームの送信中に、３５０において、チャネル又は干渉推定変調シンボルは、ＳＣ−ＦＤＭシンボルストリームのために割り振られた幾つかのリソースブロック内の全ての周波数にわたり得る。しかしながら、幾つかの場合には、時間スパンに対する制限があり得る。例えば、１００個の連続リソースブロックが送信機３１５に割り振られ、チャネル又は干渉推定変調シンボルが、（レートマッチングを用いて）データ変調シンボル３２０のシーケンス中の１００番目ごとの変調シンボルの位置中に挿入されると仮定する。これは、干渉の１つのＴS＝３２ナノ秒（ｎｓ）サンプルが５マイクロ秒（μｓ）ごとに取られることを意味する。これに対する潜在的利益は、サブシンボルチャネル又は干渉推定精度である（例えば、干渉の５μｓの突発が検出された場合、受信機３０５は、受信シンボルストリームの５μｓの間それの対数尤度比（ＬＬＲ）テストを中断し得るが、依然として残りの５５μｓを処理する。しかしながら、干渉の突発が５μｓよりも少なく持続する場合、突発が検出されないことがある。また、統計的に有意な干渉測定のために、単一よりも多くの干渉サンプルが取得されるべきである。これらの問題を緩和するために、ＳＣ−ＦＤＭシンボルストリームを並列に受信機３０５に送信する送信機は、ユーザ固有挿入期間オフセット（即ち、異なる挿入期間オフセット）に従って、データ変調シンボルのそれぞれのシーケンスにチャネル又は干渉推定変調シンボルを挿入し得る。受信機３０５は、次いで、異なる送信機によって変調データシンボルの異なるシーケンスに挿入されたチャネル又は干渉推定変調シンボルに関連する測定されたチャネル又は干渉に基づいて、チャネル又は干渉を推定し得る。事実上、第１のＳＣ−ＦＤＭシンボルストリームに対応する変調シンボルの第１のグループ内の第１の複数のデータ変調シンボルが、３９０において、第２のＳＣ−ＦＤＭシンボルストリームに対応する変調シンボルの第２のグループ内の第１の複数のチャネル又は干渉推定変調シンボルのために推定されたチャネル応答又は干渉に少なくとも部分的に基づいて（又は複数の他のＳＣ−ＦＤＭシンボルストリームに対応するチャネル又は干渉推定変調シンボルのために推定されたチャネル応答又は干渉に基づいて）復号され得る。また、変調シンボルの第１のグループは、変調シンボルの第１のグループ内の第２の複数のチャネル又は干渉推定変調シンボルのために推定された干渉に少なくとも部分的に基づいて復号され得る。
【００５７】
[0069]インターリーブされたリソース割振りでは、送信機３１５によってデータ変調シンボル３２０のシーケンスに挿入されたチャネル又は干渉推定変調シンボルは、３５０において送信されるＳＣ−ＦＤＭシンボルストリームの送信された時間サンプルと１対１の対応を有しないことがある。しかしながら、挿入されたチャネル又は干渉推定変調シンボルとデータ変調シンボルのグループとの間のセットごとの対応が依然として存在する（例えば、３３５におけるＤＦＴへの入力の第１の部分中のチャネル又は干渉推定変調シンボルが、対応するＳＣ−ＦＤＭシンボルの第１の部分中の干渉に大部分が敏感である。
【００５８】
[0070]送信機３１５が送信リソースの１つ又は複数のインターレース（即ち、周波数インターレース）を割り振られたプロセスフロー３００の例では、送信機３１５は、割り振られたインターフェースごとにＳＣ−ＦＤＭシンボルごとに固定数のチャネル又は干渉推定変調シンボルを挿入する、チャネル又は干渉推定変調シンボル挿入条件を実装し得る。例えば、挿入条件は、割り振られたインターレースごとに４つのチャネル又は干渉推定変調シンボルの挿入を指定し得る。従って、送信機３１５がＮ個のインターレースを割り振られた場合、送信機３１５は、ＳＣ−ＦＤＭシンボルごとに４Ｎ個のチャネル又は干渉推定変調シンボルを挿入し得る。送信リソースの各インターレースが、並列に送信される１０個のリソースブロックを含み、各リソースブロックが１２個のトーン（又はサブキャリア）を含む場合、インターレースごとの４つのチャネル又は干渉推定変調シンボルの挿入は、約３％の挿入検出変調シンボルオーバーヘッドを表す。そのような例では、チャネル又は干渉推定変調シンボルのインデックスが、例えば、以下のアルゴリズムを使用して決定され得る。
【００５９】
for i = 0 : N-1
for j = 0 : 3
Index(i, j) = j*30*N + Interlace_idx(i)*3*N
end
end
[0071]図３を参照しながら説明したプロセスフロー３００に加えて（又はそれの代わりに）、受信機３０５（例えば、基地局）は、送信機３１５（例えば、ＵＥ）がそれに対してスケジュールされない幾つかのリソース（例えば、リソースブロック又は周波数インターレース）を予約し得る。次いで、これらのリソースに関連する干渉が推定（例えば、測定）され得、推定された干渉は、スケジュールされた送信機について同じであると仮定され、スケジュールされた（１つ又は複数の）送信機について受信されるデータ変調シンボルを復号するために使用され得る。注目すべきことに、幾つかの例では、チャネル又は干渉推定変調シンボル間の広帯域干渉デルタを測定し、次いで、測定されたデルタを、１つ又は複数の復調基準シンボル（ＤＭ−ＲＳ）に基づいて測定されたサブバンド依存干渉に追加すれば十分であり得る。
【００６０】
[0072]また、図３を参照しながら説明したプロセスフロー３００に加えて（又はそれの代わりに）、受信機３０５は、保守的変調及びコード化方式（ＭＣＳ）を用いて幾つかのリソースをスケジュールし得る。保守的（例えば、より低い）ＭＣＳを用いて送信された変調シンボルは、これらの変調シンボルがより高い干渉レベルに関連するにもかかわらず復号されることが可能であり得る。保守的ＭＣＳを用いて送信された変調シンボルが復号された後、受信機３０５は、残差信号を取得するために、復号された変調シンボルをそれらのそれぞれのシンボル位置から減算し得る。残差信号は、変調シンボルに関連する干渉を表し、復号された変調シンボルに関連する干渉を定量化するために測定され得る。次いで、測定された干渉は、これらの他の変調シンボルを復号することの見込みを改善するために、他の変調シンボルから減算され得る。保守的ＭＣＳを使用することの一代替では、１つのチャネル（例えば、物理アップリンク制御チャネル（ＰＵＣＣＨ）、サウンディング基準信号（ＳＲＳ）又は物理ランダムアクセスチャネル（ＰＲＡＣＨ））中で正常に復号された変調シンボルに関連する干渉が、他のチャネル中で受信された変調シンボルを復号することの見込みを改善するために、別のチャネル（例えば、物理アップリンク共有チャネル（ＰＵＳＣＨ））から推定及び減算され得る。
【００６１】
[0073]図４に、本開示の様々な態様による、ワイヤレス通信において使用するための装置４１５のブロック図４００を示す。装置４１５は、図１又は図２を参照しながら説明したＵＥ１１５、２１５、２１５−ａ、２１５−ｂ又は２１５−ｃのうちの１つ又は複数の態様、若しくは図３を参照しながら説明した送信機３１５の態様の一例であり得る。装置４１５はまた、プロセッサであるか、又はプロセッサを含み得る。装置４１５は、受信機モジュール４１０、ワイヤレス通信管理モジュール４２０又は送信機モジュール４３０を含み得る。これらのモジュールの各々は互いと通信していることがある。
【００６２】
[0074]装置４１５のモジュールは、適用可能な機能の一部又は全部をハードウェアで実行するように適応された１つ又は複数の特定用途向け集積回路（ＡＳＩＣ）を使用して、個々に又はまとめて実装され得る。代替的に、それらの機能は、１つ又は複数の他の処理ユニット（又はコア）によって、１つ又は複数の集積回路上で実行され得る。他の例では、当技術分野で知られている任意の様式でプログラムされ得る、他のタイプの集積回路（例えば、ストラクチャード／プラットフォームＡＳＩＣ、フィールドプログラマブルゲートアレイ（ＦＰＧＡ）、システムオンチップ（ＳｏＣ）又は他のセミカスタムＩＣ）が使用され得る。各モジュールの機能はまた、全体的に、又は部分的に、１つ又は複数の汎用又は特定用途向けプロセッサによって実行されるようにフォーマットされた、メモリ中に組み込まれた命令を用いて実装され得る。
【００６３】
[0075] 幾つかの例では、受信機モジュール４１０は、専用無線周波数スペクトル又は共有無線周波数スペクトル上での送信を受信するように動作可能な少なくとも１つの無線周波数（ＲＦ）受信機など、少なくとも１つのＲＦ受信機を含み得る。専用無線周波数スペクトルは、送信装置がそれのためにアクセスを求めて競合しないことがある、無線周波数スペクトル（例えば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がそれのためにアクセスを求めて競合し得る、無線周波数スペクトル（例えば、Ｗｉ−Ｆｉ使用など、無認可使用のために利用可能である無線周波数スペクトル、若しくは等しく共有されるか、又は優先度を付けられた様式で複数の事業者が使用するために利用可能である無線周波数スペクトル）を含み得る。幾つかの例では、専用無線周波数スペクトル又は共有無線周波数スペクトルは、例えば、図１又は図２を参照しながら説明したように、ＬＴＥ／ＬＴＥ−Ａ通信のために使用され得る。受信機モジュール４１０は、図１又は図２を参照しながら説明したワイヤレス通信システム１００又は２００の１つ又は複数の通信リンクなど、ワイヤレス通信システムの１つ又は複数の通信リンク上で様々なタイプのデータ又は制御信号（即ち、送信）を受信するために使用され得る。通信リンクは、専用無線周波数スペクトル又は共有無線周波数スペクトル上で確立され得る。
【００６４】
[0076]幾つかの例では、送信機モジュール４３０は、専用無線周波数スペクトル又は共有無線周波数スペクトル上で送信するように動作可能な少なくとも１つのＲＦ送信機など、少なくとも１つのＲＦ送信機を含み得る。送信機モジュール４３０は、図１又は図２を参照しながら説明したワイヤレス通信システム１００又は２００の１つ又は複数の通信リンクなど、ワイヤレス通信システムの１つ又は複数の通信リンク上で様々なタイプのデータ又は制御信号（即ち、送信）を送信するために使用され得る。通信リンクは、専用無線周波数スペクトル又は共有無線周波数スペクトル上で確立され得る。
【００６５】
[0077]幾つかの例では、ワイヤレス通信管理モジュール４２０は、装置４１５のためのワイヤレス通信の１つ又は複数の態様を管理するために使用され得る。幾つかの例では、ワイヤレス通信管理モジュール４２０は、チャネル又は干渉推定変調シンボル挿入モジュール４３５、ＤＦＴモジュール４４０又はＳＣ−ＦＤＭシンボルストリーム生成モジュール４４５を含み得る。
【００６６】
[0078]チャネル又は干渉推定変調シンボル挿入モジュール４３５は、チャネル又は干渉推定変調シンボルをデータ変調シンボルのシーケンスに挿入するために使用され得る。幾つかの例では、データ変調シンボルのシーケンス中のデータ変調シンボルが、チャネル又は干渉推定変調シンボルにレートマッチングされ得る。幾つかの例では、チャネル又は干渉推定変調シンボルは０シンボルを含み得る。幾つかの例では、チャネル又は干渉推定変調シンボルは、知られている非０シンボルを含み得る。幾つかの例では、チャネル又は干渉推定変調シンボルは、データ変調シンボルに関する低減された変調次数を有し得る。
【００６７】
[0079]ＤＦＴモジュール４４０は、データ変調シンボルのシーケンス中の変調シンボルのグループに対してＤＦＴを実行するために使用され得る。変調シンボルのグループは、チャネル又は干渉推定変調シンボルのうちの少なくとも１つを含み得る。
【００６８】
[0080]ＳＣ−ＦＤＭシンボルストリーム生成モジュール４４５は、ＤＦＴの出力に少なくとも部分的に基づいて、ＳＣ−ＦＤＭシンボルストリームを生成するために使用され得る。幾つかの例では、ＳＣ−ＦＤＭシンボルストリームを生成することは、ＤＦＴの出力に少なくとも部分的に基づいてトーンマッピングを実行することと、トーンマッピングの出力に対してＩＦＦＴを実行することとを含み得る。ＳＣ−ＦＤＭシンボルストリームは、送信機モジュール４３０を介して受信機に送信され得る（例えば、ＳＣ−ＦＤＭシンボルストリームは、アップリンクチャネル上で基地局に送信され得る）。幾つかの例では、ＳＣ−ＦＤＭシンボルストリームは、共有無線周波数スペクトル上で送信され得る。
【００６９】
[0081]幾つかの例では、チャネル又は干渉推定変調シンボルは、ＳＣ−ＦＤＭシンボルストリームのために割り振られた幾つかのリソースブロック内の全ての周波数にわたり得る。幾つかの例では、同数のチャネル又は干渉推定変調シンボルが、ＳＣ−ＦＤＭシンボルストリームの各ＳＣ−ＦＤＭシンボル中に含まれ得る。
【００７０】
[0082]図５に、本開示の様々な態様による、ワイヤレス通信において使用するための装置５１５のブロック図５００を示す。装置５１５は、図１又は図２を参照しながら説明したＵＥ１１５、２１５、２１５−ａ、２１５−ｂ又は２１５−ｃのうちの１つ又は複数の態様、図３を参照しながら説明した送信機３１５の態様、若しくは図４を参照しながら説明した装置４１５の態様の一例であり得る。装置５１５はまた、プロセッサであるか、又はプロセッサを含み得る。装置５１５は、受信機モジュール５１０、ワイヤレス通信管理モジュール５２０又は送信機モジュール５３０を含み得る。これらのモジュールの各々は互いと通信していることがある。
【００７１】
[0083]装置５１５のモジュールは、適用可能な機能の一部又は全部をハードウェアで実行するように適応された１つ又は複数のＡＳＩＣを使用して、個々に又はまとめて実装され得る。代替的に、それらの機能は、１つ又は複数の他の処理ユニット（又はコア）によって、１つ又は複数の集積回路上で実行され得る。他の例では、当技術分野で知られている任意の様式でプログラムされ得る他のタイプの集積回路（例えば、ストラクチャード／プラットフォームＡＳＩＣ、ＦＰＧＡ、ＳｏＣ、又は他のセミカスタムＩＣ）が使用され得る。各モジュールの機能はまた、全体的に又は部分的に、１つ又は複数の汎用又は特定用途向けプロセッサによって実行されるようにフォーマットされた、メモリ中に組み込まれた命令を用いて実装され得る。
【００７２】
[0084]幾つかの例では、受信機モジュール５１０は、専用無線周波数スペクトル又は共有無線周波数スペクトル上での送信を受信するように動作可能な少なくとも１つのＲＦ受信機など、少なくとも１つのＲＦ受信機を含み得る。専用無線周波数スペクトルは、送信装置がそれのためにアクセスを求めて競合しないことがある、無線周波数スペクトル（例えば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がそれのためにアクセスを求めて競合し得る、無線周波数スペクトル（例えば、Ｗｉ−Ｆｉ使用など、無認可使用のために利用可能である無線周波数スペクトル、若しくは等しく共有されるか、又は優先度を付けられた様式で複数の事業者が使用するために利用可能である無線周波数スペクトル）を含み得る。幾つかの例では、専用無線周波数スペクトル又は共有無線周波数スペクトルは、例えば、図１又は図２を参照しながら説明したように、ＬＴＥ／ＬＴＥ−Ａ通信のために使用され得る。受信機モジュール５１０は、幾つかの場合には、専用無線周波数スペクトル及び共有無線周波数スペクトルのための別個の受信機を含み得る。別個の受信機は、幾つかの例では、専用無線周波数スペクトル上で通信するためのＬＴＥ／ＬＴＥ−Ａ受信機モジュール（例えば、専用ＲＦスペクトルのためのＬＴＥ／ＬＴＥ−Ａ受信機モジュール５１２）、及び共有無線周波数スペクトル上で通信するためのＬＴＥ／ＬＴＥ−Ａ受信機モジュール（例えば、共有ＲＦスペクトルのためのＬＴＥ／ＬＴＥ−Ａ受信機モジュール５１４）の形態をとり得る。専用ＲＦスペクトルのためのＬＴＥ／ＬＴＥ−Ａ受信機モジュール５１２又は共有ＲＦスペクトルのためのＬＴＥ／ＬＴＥ−Ａ受信機モジュール５１４を含む受信機モジュール５１０は、図１又は図２を参照しながら説明したワイヤレス通信システム１００又は２００の１つ又は複数の通信リンクなど、ワイヤレス通信システムの１つ又は複数の通信リンク上で様々なタイプのデータ又は制御信号（即ち、送信）を受信するために使用され得る。通信リンクは、専用無線周波数スペクトル又は共有無線周波数スペクトル上で確立され得る。
【００７３】
[0085]幾つかの例では、送信機モジュール５３０は、専用無線周波数スペクトル又は共有無線周波数スペクトル上で送信するように動作可能な少なくとも１つのＲＦ送信機など、少なくとも１つのＲＦ送信機を含み得る。送信機モジュール５３０は、幾つかの場合には、専用無線周波数スペクトル及び共有無線周波数スペクトルのための別個の送信機を含み得る。別個の送信機は、幾つかの例では、専用無線周波数スペクトル上で通信するためのＬＴＥ／ＬＴＥ−Ａ送信機モジュール（例えば、専用ＲＦスペクトルのためのＬＴＥ／ＬＴＥ−Ａ送信機モジュール５３２）、及び共有無線周波数スペクトル上で通信するためのＬＴＥ／ＬＴＥ−Ａ送信機モジュール（例えば、共有ＲＦスペクトルのためのＬＴＥ／ＬＴＥ−Ａ送信機モジュール５３４）の形態をとり得る。専用ＲＦスペクトルのためのＬＴＥ／ＬＴＥ−Ａ送信機モジュール５３２又は共有ＲＦスペクトルのためのＬＴＥ／ＬＴＥ−Ａ送信機モジュール５３４を含む送信機モジュール５３０は、図１又は図２を参照しながら説明したワイヤレス通信システム１００又は２００の１つ又は複数の通信リンクなど、ワイヤレス通信システムの１つ又は複数の通信リンク上で様々なタイプのデータ又は制御信号（即ち、送信）を送信するために使用され得る。通信リンクは、第１の無線周波数スペクトル又は第２の無線周波数スペクトル上で確立され得る。
【００７４】
[0086]幾つかの例では、ワイヤレス通信管理モジュール５２０は、装置５１５のためのワイヤレス通信の１つ又は複数の態様を管理するために使用され得る。幾つかの例では、ワイヤレス通信管理モジュール５２０は、挿入命令処理モジュール５５０、挿入条件識別モジュール５５５、チャネル又は干渉推定変調シンボル挿入モジュール５３５、ＤＦＴモジュール５４０又はＳＣ−ＦＤＭシンボルストリーム生成モジュール５４５を含み得る。
【００７５】
[0087]挿入命令処理モジュール５５０は、基地局からチャネル又は干渉推定変調シンボル挿入命令を受信するために使用され得る。幾つかの例では、チャネル又は干渉推定変調シンボル挿入命令は、基地局からの送信許可（例えば、アップリンク許可）に関して、又は基地局の制御シグナリングに関して受信され得る。チャネル又は干渉推定変調シンボル挿入命令は、疑似静的命令又は動的命令を含み得る。
【００７６】
[0088]挿入条件識別モジュール５５５は、チャネル又は干渉推定変調シンボル挿入命令に少なくとも部分的に基づいて、チャネル又は干渉推定変調シンボル挿入条件を随意に識別するために使用され得る。挿入条件識別モジュール５５５は、チャネル又は干渉推定変調シンボルを挿入するためのユーザ固有（例えば、ＵＥ固有）挿入期間オフセットを決定するためにも使用され得る。幾つかの例では、ユーザ固有挿入期間オフセットは、チャネル又は干渉推定変調シンボル挿入条件によって識別され得る。
【００７７】
[0089]チャネル又は干渉推定変調シンボル挿入モジュール５３５は、チャネル又は干渉推定変調シンボルをデータ変調シンボルのシーケンスに挿入するために使用され得る。チャネル又は干渉推定変調シンボル挿入モジュール５３５は、挿入命令処理モジュール５５０によって受信された挿入命令に従って及び／又は挿入条件識別モジュール５５５によって識別された挿入条件又はユーザ固有挿入期間オフセットに従って、チャネル又は干渉推定変調シンボルをデータ変調シンボルのシーケンスに挿入し得る。幾つかの例では、データ変調シンボルのシーケンス中のデータ変調シンボルが、チャネル又は干渉推定変調シンボルにレートマッチングされ得る。幾つかの例では、チャネル又は干渉推定変調シンボルは０シンボルを含み得る。幾つかの例では、チャネル又は干渉推定変調シンボルは、知られている非０シンボルを含み得る。幾つかの例では、チャネル又は干渉推定変調シンボルは、データ変調シンボルに関する低減された変調次数を有し得る。
【００７８】
[0090]ＤＦＴモジュール５４０は、データ変調シンボルのシーケンス中の変調シンボルのグループに対してＤＦＴを実行するために使用され得る。変調シンボルのグループは、チャネル又は干渉推定変調シンボルのうちの少なくとも１つを含み得る。
【００７９】
[0091]ＳＣ−ＦＤＭシンボルストリーム生成モジュール５４５は、ＤＦＴの出力に少なくとも部分的に基づいて、ＳＣ−ＦＤＭシンボルストリームを生成するために使用され得る。幾つかの例では、ＳＣ−ＦＤＭシンボルストリームを生成することは、ＤＦＴの出力に少なくとも部分的に基づいてトーンマッピングを実行することと、トーンマッピングの出力に対してＩＦＦＴを実行することとを含み得る。ＳＣ−ＦＤＭシンボルストリームは、送信機モジュール４３０を介して受信機に送信され得る（例えば、ＳＣ−ＦＤＭシンボルストリームは、アップリンクチャネル上で基地局に送信され得る）。幾つかの例では、ＳＣ−ＦＤＭシンボルストリームは、共有無線周波数スペクトル上で送信され得る。
【００８０】
[0092]幾つかの例では、チャネル又は干渉推定変調シンボルは、ＳＣ−ＦＤＭシンボルストリームのために割り振られた幾つかのリソースブロック内の全ての周波数にわたり得る。幾つかの例では、同数のチャネル又は干渉推定変調シンボルが、ＳＣ−ＦＤＭシンボルストリームの各ＳＣ−ＦＤＭシンボル中に含まれ得る。
【００８１】
[0093]図６に、本開示の様々な態様による、ワイヤレス通信において使用するための装置６０５のブロック図６００を示す。装置６０５は、図１又は図２を参照しながら説明した基地局１０５、２０５又は２０５−ａのうちの１つ以上の態様又は図３を参照しながら説明した受信機３０５の態様の一例であり得る。装置６０５はまた、プロセッサであるか、又はプロセッサを含み得る。装置６０５は、受信機モジュール６１０、ワイヤレス通信管理モジュール６２０又は送信機モジュール６３０を含み得る。これらのモジュールの各々は互いと通信していることがある。
【００８２】
[0094]装置６０５のモジュールは、適用可能な機能の一部又は全部をハードウェアで実行するように適応された１つ又は複数のＡＳＩＣを使用して、個々に又はまとめて実装され得る。代替的に、それらの機能は、１つ又は複数の他の処理ユニット（又はコア）によって、１つ又は複数の集積回路上で実行され得る。他の例では、当技術分野で知られている任意の様式でプログラムされ得る他のタイプの集積回路（例えば、ストラクチャード／プラットフォームＡＳＩＣ、ＦＰＧＡ、ＳｏＣ又は他のセミカスタムＩＣ）が使用され得る。各モジュールの機能はまた、全体的に又は部分的に、１つ又は複数の汎用又は特定用途向けプロセッサによって実行されるようにフォーマットされた、メモリ中に組み込まれた命令を用いて実装され得る。
【００８３】
[0095] 幾つかの例では、受信機モジュール６１０は、専用無線周波数スペクトル又は共有無線周波数スペクトル上での送信を受信するように動作可能な少なくとも１つのＲＦ受信機など、少なくとも１つのＲＦ受信機を含み得る。専用無線周波数スペクトルは、送信装置がそれのためにアクセスを求めて競合しないことがある、無線周波数スペクトル（例えば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がそれのためにアクセスを求めて競合し得る、無線周波数スペクトル（例えば、Ｗｉ−Ｆｉ使用など、無認可使用のために利用可能である無線周波数スペクトル、若しくは等しく共有されるか、又は優先度を付けられた様式で複数の事業者が使用するために利用可能である無線周波数スペクトル）を含み得る。幾つかの例では、専用無線周波数スペクトル又は共有無線周波数スペクトルは、例えば、図１又は図２を参照しながら説明したように、ＬＴＥ／ＬＴＥ−Ａ通信のために使用され得る。受信機モジュール６１０は、図１又は図２を参照しながら説明したワイヤレス通信システム１００又は２００の１つ又は複数の通信リンクなど、ワイヤレス通信システムの１つ又は複数の通信リンク上で様々なタイプのデータ又は制御信号（即ち、送信）を受信するために使用され得る。通信リンクは、専用無線周波数スペクトル又は共有無線周波数スペクトル上で確立され得る。
【００８４】
[0096]幾つかの例では、送信機モジュール６３０は、専用無線周波数スペクトル又は共有無線周波数スペクトル上で送信するように動作可能な少なくとも１つのＲＦ送信機など、少なくとも１つのＲＦ送信機を含み得る。送信機モジュール６３０は、図１又は図２を参照しながら説明したワイヤレス通信システム１００又は２００の１つ又は複数の通信リンクなど、ワイヤレス通信システムの１つ又は複数の通信リンク上で様々なタイプのデータ又は制御信号（即ち、送信）を送信するために使用され得る。通信リンクは、専用無線周波数スペクトル又は共有無線周波数スペクトル上で確立され得る。
【００８５】
[0097]幾つかの例では、ワイヤレス通信管理モジュール６２０は、装置６０５のためのワイヤレス通信の１つ又は複数の態様を管理するために使用され得る。幾つかの例では、ワイヤレス通信管理モジュール６２０は、ＩＤＦＴモジュール６３５、チャネル又は干渉推定モジュール６４０若しくは復号モジュール６４５を含み得る。
【００８６】
[0098]ＩＤＦＴモジュール６３５は、少なくとも１つのＳＣ−ＦＤＭシンボルストリームの各々について複数のデータ変調シンボル及びチャネル又は干渉推定変調シンボルを復元するために、少なくとも１つのＳＣ−ＦＤＭシンボルストリームの各々についてＤＦＴのトーンデマッピングされた出力に対してＩＤＦＴを実行するために使用され得る。幾つかの例では、チャネル又は干渉推定変調シンボルは０シンボルを含み得る。幾つかの例では、チャネル又は干渉推定変調シンボルは、知られている非０シンボルを含み得る。幾つかの例では、ＳＣ−ＦＤＭシンボルストリーム（例えば、特定のユーザから受信されたＳＣ−ＦＤＭシンボルストリーム）に対応するチャネル又は干渉推定変調シンボルは、ＳＣ−ＦＤＭシンボルストリームに対応するデータ変調シンボルに関する低減された変調次数を有し得る。幾つかの例では、同数のチャネル又は干渉推定変調シンボルが、ＳＣ−ＦＤＭシンボルストリームの各ＳＣ−ＦＤＭシンボル中に含まれ得る。
【００８７】
[0099]チャネル又は干渉推定モジュール６４０は、チャネル又は干渉推定変調シンボルに少なくとも部分的に基づいて、チャネル応答又は干渉（例えば、少なくとも１つのＳＮＲ）を推定するために使用され得る。
【００８８】
[00100]復号モジュール６４５は、推定されたチャネル応答又は干渉に少なくとも部分的に基づいてデータ変調シンボルを復号するために使用され得る。
【００８９】
[00101]図７に、本開示の様々な態様による、ワイヤレス通信において使用するための装置７０５のブロック図７００を示す。装置７０５は、図１又は図２を参照しながら説明した基地局１０５、２０５、又は２０５−ａのうちの１つ以上の態様、図３を参照しながら説明した受信機３０５の態様又は図６を参照しながら説明した装置６０５の態様の一例であり得る。装置７０５はまた、プロセッサであるか、又はそれを含み得る。装置７０５は、受信機モジュール７１０、ワイヤレス通信管理モジュール７２０、又は送信機モジュール７３０を含み得る。これらのモジュールの各々は互いと通信していることがある。
【００９０】
[00102]装置７０５のモジュールは、適用可能な機能の一部又は全部をハードウェアで実行するように適応された１つ又は複数のＡＳＩＣを使用して、個々に又はまとめて実装され得る。代替的に、それらの機能は、１つ又は複数の他の処理ユニット（又はコア）によって、１つ又は複数の集積回路上で実行され得る。他の例では、当技術分野で知られている任意の様式でプログラムされ得る他のタイプの集積回路（例えば、ストラクチャード／プラットフォームＡＳＩＣ、ＦＰＧＡ、ＳｏＣ又は他のセミカスタムＩＣ）が使用され得る。各モジュールの機能はまた、全体的に、又は部分的に、１つ以上の汎用又は特定用途向けプロセッサによって実行されるようにフォーマットされた、メモリ中に組み込まれた命令を用いて実装され得る。
【００９１】
[00103]幾つかの例では、受信機モジュール７１０は、専用無線周波数スペクトル又は共有無線周波数スペクトル上での送信を受信するように動作可能な少なくとも１つのＲＦ受信機など、少なくとも１つのＲＦ受信機を含み得る。専用無線周波数スペクトルは、送信装置がそれのためにアクセスを求めて競合しないことがある、無線周波数スペクトル（例えば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がそれのためにアクセスを求めて競合し得る、無線周波数スペクトル（例えば、Ｗｉ−Ｆｉ使用など、無認可使用のために利用可能である無線周波数スペクトル、若しくは等しく共有されるか、又は優先度を付けられた様式で複数の事業者が使用するために利用可能である無線周波数スペクトル）を含み得る。幾つかの例では、専用無線周波数スペクトル又は共有無線周波数スペクトルは、例えば、図１又は図２を参照しながら説明したように、ＬＴＥ／ＬＴＥ−Ａ通信のために使用され得る。受信機モジュール７１０は、幾つかの場合には、専用無線周波数スペクトル及び共有無線周波数スペクトルのための別個の受信機を含み得る。別個の受信機は、幾つかの例では、専用無線周波数スペクトル上で通信するためのＬＴＥ／ＬＴＥ−Ａ受信機モジュール（例えば、専用ＲＦスペクトルのためのＬＴＥ／ＬＴＥ−Ａ受信機モジュール７１２）、及び共有無線周波数スペクトル上で通信するためのＬＴＥ／ＬＴＥ−Ａ受信機モジュール（例えば、共有ＲＦスペクトルのためのＬＴＥ／ＬＴＥ−Ａ受信機モジュール７１４）の形態をとり得る。専用ＲＦスペクトルのためのＬＴＥ／ＬＴＥ−Ａ受信機モジュール７１２又は共有ＲＦスペクトルのためのＬＴＥ／ＬＴＥ−Ａ受信機モジュール７１４を含む受信機モジュール７１０は、図１又は図２を参照しながら説明したワイヤレス通信システム１００又は２００の１つ又は複数の通信リンクなど、ワイヤレス通信システムの１つ又は複数の通信リンク上で様々なタイプのデータ又は制御信号（即ち、送信）を受信するために使用され得る。通信リンクは、専用無線周波数スペクトル又は共有無線周波数スペクトル上で確立され得る。
【００９２】
[00104]幾つかの例では、送信機モジュール７３０は、専用無線周波数スペクトル又は共有無線周波数スペクトル上で送信するように動作可能な少なくとも１つのＲＦ送信機など、少なくとも１つのＲＦ送信機を含み得る。送信機モジュール７３０は、幾つかの場合には、専用無線周波数スペクトル及び共有無線周波数スペクトルのための別個の送信機を含み得る。別個の送信機は、幾つかの例では、専用無線周波数スペクトル上で通信するためのＬＴＥ／ＬＴＥ−Ａ送信機モジュール（例えば、専用ＲＦスペクトルのためのＬＴＥ／ＬＴＥ−Ａ送信機モジュール７３２）、及び共有無線周波数スペクトル上で通信するためのＬＴＥ／ＬＴＥ−Ａ送信機モジュール（例えば、共有ＲＦスペクトルのためのＬＴＥ／ＬＴＥ−Ａ送信機モジュール７３４）の形態をとり得る。専用ＲＦスペクトルのためのＬＴＥ／ＬＴＥ−Ａ送信機モジュール７３２又は共有ＲＦスペクトルのためのＬＴＥ／ＬＴＥ−Ａ送信機モジュール７３４を含む送信機モジュール７３０は、図１又は図２を参照しながら説明したワイヤレス通信システム１００又は２００の１つ又は複数の通信リンクなど、ワイヤレス通信システムの１つ又は複数の通信リンク上で様々なタイプのデータ又は制御信号（即ち、送信）を送信するために使用され得る。通信リンクは、第１の無線周波数スペクトル又は第２の無線周波数スペクトル上で確立され得る。
【００９３】
[00105]幾つかの例では、ワイヤレス通信管理モジュール７２０は、装置７０５のためのワイヤレス通信の１つ又は複数の態様を管理するために使用され得る。幾つかの例では、ワイヤレス通信管理モジュール７２０は、挿入命令送信モジュール７５０、ＳＣ−ＦＤＭシンボルストリーム処理モジュール７５５、ＩＤＦＴモジュール７３５、チャネル又は干渉推定モジュール７４０若しくは復号モジュール７４５を含み得る。
【００９４】
[00106]挿入命令送信モジュール７５０は、１つ以上のＵＥにチャネル又は干渉推定変調シンボル挿入命令を送信するために使用され得る。幾つかの例では、チャネル又は干渉推定変調シンボル挿入命令は、ＵＥに送信された送信許可（例えば、アップリンク許可）に関して、又はＵＥに送信された制御シグナリングに関して送信され得る。チャネル又は干渉推定変調シンボル挿入命令は、疑似静的命令又は動的命令を含み得る。
【００９５】
[00107]ＳＣ−ＦＤＭシンボルストリーム処理モジュール７５５は、異なるユーザ（例えば、異なるＵＥ）に関連する複数のＳＣ−ＦＤＭシンボルストリームを受信するために使用され得る。幾つかの例では、ＳＣ−ＦＤＭシンボルストリームは、共有無線周波数スペクトル上で受信され得る。幾つかの例では、ＳＣ−ＦＤＭシンボルストリーム処理モジュール７５５は、例えば、各ＳＣ−ＦＤＭシンボルストリームについてＤＦＴのトーンデマッピングされた出力に対して等化を実行することによって、受信されたＳＣ−ＦＤＭシンボルストリームを処理するために使用され得る。幾つかの例では、ＳＣ−ＦＤＭシンボルストリーム処理モジュール７５５は、例えば、ＤＦＴの出力を取得するために各ＳＣ−ＦＤＭシンボルストリームに対してＦＦＴを実行することと、各ＤＦＴの出力に対してトーンデマッピングを実行することと、ＤＦＴの各トーンデマッピングされた出力に対して等化及びチャネル推定を実行することとによって、受信されたＳＣ−ＦＤＭシンボルストリームを処理するために使用され得る。
【００９６】
[00108]ＩＤＦＴモジュール７３５は、ＳＣ−ＦＤＭシンボルストリームの各々について複数のデータ変調シンボル及びチャネル又は干渉推定変調シンボルを復元するために、各等化されたトーンデマッピングされた出力に対してＩＤＦＴを実行するために使用され得る。幾つかの例では、ＩＤＦＴモジュール７３５は、ユーザ固有挿入期間オフセットに従って、異なるＳＣ−ＦＤＭシンボルストリームから、異なるユーザに対応するチャネル又は干渉推定変調シンボルを復元し得る。幾つかの例では、チャネル又は干渉推定変調シンボルは０シンボルを含み得る。幾つかの例では、チャネル又は干渉推定変調シンボルは、知られている非０シンボルを含み得る。幾つかの例では、ＳＣ−ＦＤＭシンボルストリーム（例えば、特定のユーザから受信されたＳＣ−ＦＤＭシンボルストリーム）に対応するチャネル又は干渉推定変調シンボルは、ＳＣ−ＦＤＭシンボルストリームに対応するデータ変調シンボルに関する低減された変調次数を有し得る。幾つかの例では、同数のチャネル又は干渉推定変調シンボルが、ＳＣ−ＦＤＭシンボルストリームの各ＳＣ−ＦＤＭシンボル中に含まれ得る。
【００９７】
[00109]チャネル又は干渉推定モジュール７４０は、チャネル又は干渉推定変調シンボルに少なくとも部分的に基づいて、干渉（例えば、ＳＮＲ）を推定するために使用され得る。
【００９８】
[00110]復号モジュール７４５は、推定された干渉に少なくとも部分的に基づいてデータ変調シンボルを復号するために使用され得る。幾つかの例では、第１のＳＣ−ＦＤＭシンボルストリームに対応する変調シンボルの第１のグループ内の第１の複数のデータ変調シンボルが、第２のＳＣ−ＦＤＭシンボルストリームに対応する変調シンボルの第２のグループ内の第１の複数のチャネル又は干渉推定変調シンボルのために推定された干渉に少なくとも部分的に基づいて復号され得る。
【００９９】
[00111]図８に、本開示の様々な態様による、ワイヤレス通信において使用するためのＵＥ８１５のブロック図８００を示す。ＵＥ８１５は、様々な構成を有し得、パーソナルコンピュータ（例えば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなど含まれるか、又はそれらの一部であり得る。ＵＥ８１５は、幾つかの例では、モバイル動作を可能にするために、小型バッテリーなどの内部電源（図示せず）を有し得る。幾つかの例では、ＵＥ８１５は、図１、図２又は図８を参照しながら説明したＵＥ１１５、２１５、２１５−ａ、２１５−ｂ、２１５−ｃ又は８１５のうちの１つ又は複数の態様、図３を参照しながら説明した送信機３１５の態様、若しくは図４又は図５を参照しながら説明した装置４１５又は５１５のうちの１つ又は複数の態様の一例であり得る。ＵＥ８１５は、図１、図２、図３、図４、又は図５を参照しながら説明したＵＥ又は装置の特徴及び機能のうちの少なくとも幾つかを実装するように構成され得る。
【０１００】
[00112]ＵＥ８１５は、ＵＥプロセッサモジュール８１０、ＵＥメモリモジュール８２０、（（１つ又は複数の）ＵＥトランシーバモジュール８３０によって表される）少なくとも１つのＵＥトランシーバモジュール、（（１つ又は複数の）ＵＥアンテナ８４０によって表される）少なくとも１つのＵＥアンテナ又はＵＥワイヤレス通信管理モジュール８５０を含み得る。これらの構成要素の各々は、１つ又は複数のバス８３５上で、直接又は間接的に、互いと通信していることがある。
【０１０１】
[00113]ＵＥメモリモジュール８２０は、ランダムアクセスメモリ（ＲＡＭ）又は読取り専用メモリ（ＲＯＭ）を含み得る。ＵＥメモリモジュール８２０は、実行されたとき、データ変調シンボルのシーケンスへのチャネル又は干渉推定変調シンボルの挿入を含む、ワイヤレス通信に関係する本明細書で説明する様々な機能をＵＥプロセッサモジュール８１０に実行させるように構成された命令を含んでいるコンピュータ可読、コンピュータ実行可能コード８２５を記憶し得る。代替的に、コード８２５は、ＵＥプロセッサモジュール８１０によって直接的に実行可能ではないが、（例えば、コンパイルされ、実行されたとき）本明細書で説明する機能のうちの幾つかをＵＥ８１５に実行させるように構成され得る。
【０１０２】
[00114]ＵＥプロセッサモジュール８１０は、インテリジェントハードウェア機器、例えば、中央処理ユニット（ＣＰＵ）、マイクロコントローラ、ＡＳＩＣなどを含み得る。ＵＥプロセッサモジュール８１０は、（１つ又は複数の）ＵＥトランシーバモジュール８３０を通して受信された情報、又は（１つ又は複数の）ＵＥアンテナ８４０を通した送信のために（１つ又は複数の）ＵＥトランシーバモジュール８３０に送られるべき情報を処理し得る。ＵＥプロセッサモジュール８１０は、単独で、又は、ＵＥワイヤレス通信管理モジュール８５０とともに、専用無線周波数スペクトル又は共有無線周波数スペクトル上で通信すること（又はそれの上での通信を管理すること）の様々な態様を扱い得る。専用無線周波数スペクトルは、送信装置がそれのためにアクセスを求めて競合しないことがある、無線周波数スペクトル（例えば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がそれのためにアクセスを求めて競合し得る、無線周波数スペクトル（例えば、Ｗｉ−Ｆｉ使用など、無認可使用のために利用可能である無線周波数スペクトル、若しくは等しく共有されるか、又は優先度を付けられた様式で複数の事業者が使用するために利用可能である無線周波数スペクトル）を含み得る。
【０１０３】
[00115]（１つ又は複数の）ＵＥトランシーバモジュール８３０は、パケットを変調し、変調されたパケットを送信のために（１つ又は複数の）ＵＥアンテナ８４０に与え、（１つ又は複数の）ＵＥアンテナ８４０から受信されたパケットを復調するように構成されたモデムを含み得る。（１つ又は複数の）ＵＥトランシーバモジュール８３０は、幾つかの例では、１つ又は複数のＵＥ送信機モジュール及び１つ又は複数の別個のＵＥ受信機モジュールとして実装され得る。（１つ又は複数の）ＵＥトランシーバモジュール８３０は、専用無線周波数スペクトル又は共有無線周波数スペクトル中での通信をサポートし得る。（１つ又は複数の）ＵＥトランシーバモジュール８３０は、（１つ又は複数の）ＵＥアンテナ８４０を介して、図１又は図２を参照しながら説明した基地局１０５、２０５又は２０５−ａのうちの１つ又は複数、図３を参照しながら説明した受信機３０５の態様若しくは図６又は図７を参照しながら説明した装置６０５又は７０５のうちの１つ又は複数の態様と双方向に通信するように構成され得る。ＵＥ８１５は単一のＵＥアンテナを含み得るが、ＵＥ８１５が複数のＵＥアンテナ８４０を含み得る例があり得る。
【０１０４】
[00116]ＵＥワイヤレス通信管理モジュール８５０は、専用無線周波数スペクトル又は共有無線周波数スペクトル上でのワイヤレス通信に関係する図１、図２、図３、図４又は図５を参照しながら説明したＵＥ又は装置の特徴若しくは機能の一部若しくは全部を実行又は制御するように構成され得る。例えば、ＵＥワイヤレス通信管理モジュール８５０は、専用無線周波数スペクトル又は共有無線周波数スペクトルを使用して、補足ダウンリンクモード（例えば、認可支援アクセスモード）、キャリアアグリゲーションモード又はスタンドアロンモードをサポートするように構成され得る。ＵＥワイヤレス通信管理モジュール８５０は、専用無線周波数スペクトル中でのＬＴＥ／ＬＴＥ−Ａ通信を扱うように構成された、専用ＲＦスペクトルのためのＵＥ  ＬＴＥ／ＬＴＥ−Ａモジュール８５５と、共有無線周波数スペクトル中でのＬＴＥ／ＬＴＥ−Ａ通信を扱うように構成された、共有ＲＦスペクトルのためのＵＥ  ＬＴＥ／ＬＴＥ−Ａモジュール８６０とを含み得る。ＵＥワイヤレス通信管理モジュール８５０、又はそれの部分はプロセッサを含み得、若しくはＵＥワイヤレス通信管理モジュール８５０の機能の一部又は全部は、ＵＥプロセッサモジュール８１０によって実行されるか、又はＵＥプロセッサモジュール８１０とともに実行され得る。幾つかの例では、ＵＥワイヤレス通信管理モジュール８５０は、図４又は図５を参照しながら説明したワイヤレス通信管理モジュール４２０又は５２０の一例であり得る。
【０１０５】
[00117]図９に、本開示の様々な態様による、ワイヤレス通信において使用するための基地局９０５（例えば、ｅＮＢの一部又は全部を形成する基地局）のブロック図９００を示す。幾つかの例では、基地局９０５は、図１又は図２を参照しながら説明した基地局１０５、２０５又は２０５−ａの１つ又は複数の態様、図３を参照しながら説明した受信機３０５の態様、若しくは図６又は図７を参照しながら説明した装置６０５又は７０５のうちの１つ又は複数の態様の一例であり得る。基地局９０５は、図１、図２、図３、図６又は図７を参照しながら説明した基地局の特徴及び機能のうちの少なくとも幾つかを実装するか又は可能にするように構成され得る。
【０１０６】
[00118]基地局９０５は、基地局プロセッサモジュール９１０、基地局メモリモジュール９２０、（（１つ又は複数の）基地局トランシーバモジュール９５０によって表される）少なくとも１つの基地局トランシーバモジュール、（（１つ又は複数の）基地局アンテナ９５５によって表される）少なくとも１つの基地局アンテナ又は基地局ワイヤレス通信管理モジュール９６０を含み得る。基地局９０５はまた、基地局通信モジュール９３０又はネットワーク通信モジュール９４０のうちの１つ又は複数を含み得る。これらの構成要素の各々は、１つ又は複数のバス９３５上で、直接又は間接的に、互いと通信していることがある。
【０１０７】
[00119]基地局メモリモジュール９２０はＲＡＭ又はＲＯＭを含み得る。基地局メモリモジュール９２０は、実行されたとき、チャネル又は干渉推定変調シンボルの復元と、チャネル又は干渉推定変調シンボルに少なくとも部分的に基づく干渉の推定と、推定された干渉に少なくとも部分的に基づくデータ変調シンボルの復号とを含む、ワイヤレス通信に関係する本明細書で説明する様々な機能を基地局プロセッサモジュール９１０に実行させるように構成された命令を含んでいるコンピュータ可読、コンピュータ実行可能コード９２５を記憶し得る。代替的に、コード９２５は、基地局プロセッサモジュール９１０によって直接的に実行可能ではないが、（例えば、コンパイルされ、実行されたとき）本明細書で説明する機能のうちの幾つかを基地局９０５に実行させるように構成され得る。
【０１０８】
[00120]基地局プロセッサモジュール９１０は、インテリジェントハードウェア機器、例えば、ＣＰＵ、マイクロコントローラ、ＡＳＩＣなどを含み得る。基地局プロセッサモジュール９１０は、（１つ又は複数の）基地局トランシーバモジュール９５０、基地局通信モジュール９３０、又はネットワーク通信モジュール９４０を通して受信された情報を処理し得る。基地局プロセッサモジュール９１０はまた、（１つ又は複数の）アンテナ９５５を通した送信のために（１つ又は複数の）トランシーバモジュール９５０に送られるべき情報、１つ又は複数の他の基地局９０５−ａ及び９０５−ｂへの送信のために基地局通信モジュール９３０に送られるべき情報、又は図１を参照しながら説明したコアネットワーク１３０の１つ又は複数の態様の一例であり得る、コアネットワーク９４５への送信のためにネットワーク通信モジュール９４０に送られるべき情報を処理し得る。基地局プロセッサモジュール９１０は、単独で、又は、基地局ワイヤレス通信管理モジュール９６０とともに、専用無線周波数スペクトル又は共有無線周波数スペクトル上で通信すること（又はそれの上での通信を管理すること）の様々な態様を扱い得る。専用無線周波数スペクトルは、送信装置がそれのためにアクセスを求めて競合しないことがある、無線周波数スペクトル（例えば、ＬＴＥ／ＬＴＥ−Ａ通信のために使用可能な認可無線周波数スペクトルなど、特定の使用のための特定のユーザに認可された無線周波数スペクトル）を含み得る。共有無線周波数スペクトルは、送信装置がそれのためにアクセスを求めて競合し得る、無線周波数スペクトル（例えば、Ｗｉ−Ｆｉ使用など、無認可使用のために利用可能である無線周波数スペクトル、若しくは等しく共有されるか又は優先度を付けられた様式で複数の事業者が使用するために利用可能である無線周波数スペクトル）を含み得る。
【０１０９】
[00121]（１つ又は複数の）基地局トランシーバモジュール９５０は、パケットを変調し、変調されたパケットを送信のために（１つ又は複数の）基地局アンテナ９５５に与え、（１つ又は複数の）基地局アンテナ９５５から受信されたパケットを復調するように構成されたモデムを含み得る。（１つ又は複数の）基地局トランシーバモジュール９５０は、幾つかの例では、１つ又は複数の基地局送信機モジュール及び１つ又は複数の別個の基地局受信機モジュールとして実装され得る。（１つ又は複数の）基地局トランシーバモジュール９５０は、専用無線周波数スペクトル又は共有無線周波数スペクトル中での通信をサポートし得る。（１つ又は複数の）基地局トランシーバモジュール９５０は、（１つ又は複数の）アンテナ９５５を介して、図１、図２又は図８を参照しながら説明したＵＥ１１５、２１５、２１５−ａ、２１５−ｂ、２１５−ｃ又は８１５のうちの１つ又は複数、図３を参照しながら説明した送信機３１５の態様、若しくは図４又は図５を参照しながら説明した装置４１５又は５１５のうちの１つ又は複数など、１つ又は複数のＵＥ又は装置と双方向に通信するように構成され得る。基地局９０５は、例えば、複数の基地局アンテナ９５５（例えば、アンテナアレイ）を含み得る。基地局９０５は、ネットワーク通信モジュール９４０を通してコアネットワーク９４５と通信し得る。基地局９０５はまた、基地局通信モジュール９３０を使用して、基地局９０５−ａ及び９０５−ｂなど、他の基地局と通信し得る。
【０１１０】
[00122]基地局ワイヤレス通信管理モジュール９６０は、専用無線周波数スペクトル又は共有無線周波数スペクトル上でのワイヤレス通信に関係する図１、図２、図３、図６又は図７を参照しながら説明した特徴又は機能の一部又は全部を実行又は制御するように構成され得る。例えば、基地局ワイヤレス通信管理モジュール９６０は、専用無線周波数スペクトル又は共有無線周波数スペクトルを使用して、補足ダウンリンクモード（例えば、認可支援アクセスモード）、キャリアアグリゲーションモード又はスタンドアロンモードをサポートするように構成され得る。基地局ワイヤレス通信管理モジュール９６０は、専用無線周波数スペクトル中でのＬＴＥ／ＬＴＥ−Ａ通信を扱うように構成された、専用ＲＦスペクトルのための基地局ＬＴＥ／ＬＴＥ−Ａモジュール９６５と、共有無線周波数スペクトル中でのＬＴＥ／ＬＴＥ−Ａ通信を扱うように構成された、共有ＲＦスペクトルのための基地局ＬＴＥ／ＬＴＥ−Ａモジュール９７０とを含み得る。基地局ワイヤレス通信管理モジュール９６０、又はそれの部分はプロセッサを含み得、若しくは基地局ワイヤレス通信管理モジュール９６０の機能の一部又は全部は、基地局プロセッサモジュール９１０によって実行されるか、又は基地局プロセッサモジュール９１０とともに実行され得る。幾つかの例では、基地局ワイヤレス通信管理モジュール９６０は、図６又は図７を参照しながら説明したワイヤレス通信管理モジュール６２０又は７２０の一例であり得る。
【０１１１】
[00123]図１０は、本開示の様々な態様による、ワイヤレス通信のための例示的な方法１０００を示すフローチャートである。明快のために、方法１０００について、図１、図２又は図８を参照しながら説明したＵＥ１１５、２１５、２１５−ａ、２１５−ｂ、２１５−ｃ又は８１５のうちの１つ又は複数の態様、若しくは図３を参照しながら説明した送信機３１５の態様、若しくは図４又は図５を参照しながら説明した装置４１５又は５１５のうちの１つ又は複数の態様に関して、以下で説明する。幾つかの例では、ＵＥ又は装置は、以下で説明する機能を実行するようにＵＥ又は装置の機能要素を制御するためのコードの１つ又は複数のセットを実行し得る。追加又は代替として、ＵＥ又は装置は、専用ハードウェアを使用して、以下で説明する機能のうちの１つ又は複数を実行し得る。
【０１１２】
[00124]ブロック１００５において、方法１０００は、チャネル又は干渉推定推定変調シンボルをデータ変調シンボルのシーケンスに挿入することを含み得る。幾つかの例では、データ変調シンボルのシーケンス中のデータ変調シンボルが、チャネル又は干渉推定変調シンボルにレートマッチングされ得る。ブロック１００５における（１つ又は複数の）動作は、図４、図５又は図８を参照しながら説明したワイヤレス通信管理モジュール４２０、５２０又は８５０若しくは図４又は図５を参照しながら説明したチャネル又は干渉推定変調シンボル挿入モジュール４３５又は５３５を使用して実行され得る。
【０１１３】
[00125]方法１０００の幾つかの例では、チャネル又は干渉推定変調シンボルは０シンボルを含み得る。幾つかの例では、チャネル又は干渉推定変調シンボルは、知られている非０シンボルを含み得る。幾つかの例では、チャネル又は干渉推定変調シンボルは、データ変調シンボルに関する低減された変調次数を有し得る。
【０１１４】
[00126]ブロック１０１０において、方法１０００は、データ変調シンボルのシーケンス中の変調シンボルのグループに対してＤＦＴを実行することを含み得る。変調シンボルのグループは、チャネル又は干渉推定変調シンボルのうちの少なくとも１つを含み得る。ブロック１０１０における（１つ又は複数の）動作は、図４、図５又は図８を参照しながら説明したワイヤレス通信管理モジュール４２０、５２０又は８５０、若しくは図４又は図５を参照しながら説明したＤＦＴモジュール４４０又は５４０を使用して実行され得る。
【０１１５】
[00127]ブロック１０１５において、方法１０００は、ＤＦＴの出力に少なくとも部分的に基づいて、ＳＣ−ＦＤＭシンボルストリームを生成することを含み得る。幾つかの例では、ＳＣ−ＦＤＭシンボルストリームを生成することは、ＤＦＴの出力に少なくとも部分的に基づいてトーンマッピングを実行することと、トーンマッピングの出力に対してＩＦＦＴを実行することとを含み得る。ブロック１０１５における（１つ又は複数の）動作は、図４、図５又は図８を参照しながら説明したワイヤレス通信管理モジュール４２０、５２０又は８５０、若しくは図４又は図５を参照しながら説明したＳＣ−ＦＤＭシンボルストリーム生成モジュール４４５又は５４５を使用して実行され得る。
【０１１６】
[00128]ブロック１０２０において、ＳＣ−ＦＤＭシンボルストリームは受信機に送信され得る（例えば、ＳＣ−ＦＤＭシンボルストリームは、アップリンクチャネル上で基地局に送信され得る）。幾つかの例では、ＳＣ−ＦＤＭシンボルストリームは、共有無線周波数スペクトル（例えば、Ｗｉ−Ｆｉ使用など、無認可使用のために利用可能である無線周波数スペクトル、若しくは等しく共有されるか、又は優先度を付けられた様式で複数の事業者が使用するために利用可能である無線周波数スペクトル）上で送信され得る。
【０１１７】
[00129]方法１０００の幾つかの例では、チャネル又は干渉推定変調シンボルは、ＳＣ−ＦＤＭシンボルストリームのために割り振られた幾つかのリソースブロック内の全ての周波数にわたり得る。幾つかの例では、同数のチャネル又は干渉推定変調シンボルが、ＳＣ−ＦＤＭシンボルストリームの各ＳＣ−ＦＤＭシンボル中に含まれ得る。
【０１１８】
[00130]従って、方法１０００はワイヤレス通信を提供し得る。方法１０００は一実装形態にすぎないこと、及び方法１０００の動作は、他の実装形態が可能であるように、並べ替えられるか、又は場合によっては変更され得ることに留意されたい。
【０１１９】
[00131]図１１は、本開示の様々な態様による、ワイヤレス通信のための例示的な方法１１００を示すフローチャートである。明快のために、方法１１００について、図１、図２又は図８を参照しながら説明したＵＥ１１５、２１５、２１５−ａ、２１５−ｂ、２１５−ｃ又は８１５のうちの１つ又は複数の態様、図３を参照しながら説明した送信機３１５の態様、若しくは図４又は図５を参照しながら説明した装置４１５又は５１５のうちの１つ又は複数の態様に関して、以下で説明する。幾つかの例では、ＵＥ又は装置は、以下で説明する機能を実行するようにＵＥ又は装置の機能要素を制御するためのコードの１つ又は複数のセットを実行し得る。追加又は代替として、ＵＥ又は装置は、専用ハードウェアを使用して、以下で説明する機能のうちの１つ又は複数を実行し得る。
【０１２０】
[00132]ブロック１１０５において、方法１１００は、（例えば、基地局から）チャネル又は干渉推定変調シンボル挿入命令を受信することを含み得る。幾つかの例では、チャネル又は干渉推定変調シンボル挿入命令は、基地局からの送信許可（例えば、アップリンク許可）に関して、又は基地局の制御シグナリングに関して受信され得る。チャネル又は干渉推定変調シンボル挿入命令は、疑似静的命令又は動的命令を含み得る。ブロック１１０５における（１つ又は複数の）動作は、図４、図５又は図８を参照しながら説明したワイヤレス通信管理モジュール４２０、５２０又は８５０、若しくは図５を参照しながら説明した挿入命令処理モジュール５５０を使用して実行され得る。
【０１２１】
[00133]ブロック１１１０において、方法１１００は、チャネル又は干渉推定変調シンボル挿入命令に少なくとも部分的に基づいて、チャネル又は干渉推定変調シンボル挿入条件を識別することを随意に含み得る。ブロック１１１０における（１つ又は複数の）動作は、チャネル又は干渉推定変調シンボルを挿入するためのユーザ固有（例えば、ＵＥ固有）挿入期間オフセットを決定することをも含み得る。幾つかの例では、ユーザ固有挿入期間オフセットは、チャネル又は干渉推定変調シンボル挿入条件によって識別され得る。ブロック１１１０における（１つ又は複数の）動作は、図４、図５又は図８を参照しながら説明したワイヤレス通信管理モジュール４２０、５２０又は８５０若しくは図５を参照しながら説明した挿入条件識別モジュール５５５を使用して実行され得る。
【０１２２】
[00134]ブロック１１１５において、方法１１００は、チャネル又は干渉推定変調シンボルをデータ変調シンボルのシーケンスに挿入することを含み得る。チャネル又は干渉推定変調シンボルは、ブロック１１０５において受信された挿入命令及び／又はブロック１１１０において識別された挿入条件又はユーザ固有挿入期間オフセットに従って、データ変調シンボルのシーケンスに挿入され得る。幾つかの例では、データ変調シンボルのシーケンス中のデータ変調シンボルが、チャネル又は干渉推定変調シンボルにレートマッチングされ得る。ブロック１１１５における（１つ又は複数の）動作は、図４、図５又は図８を参照しながら説明したワイヤレス通信管理モジュール４２０、５２０又は８５０若しくは図４又は図５を参照しながら説明したチャネル又は干渉推定変調シンボル挿入モジュール４３５又は５３５を使用して実行され得る。
【０１２３】
[00135]方法１１００の幾つかの例では、チャネル又は干渉推定変調シンボルは０シンボルを含み得る。幾つかの例では、チャネル又は干渉推定変調シンボルは、知られている非０シンボルを含み得る。幾つかの例では、チャネル又は干渉推定変調シンボルは、データ変調シンボルに関する低減された変調次数を有し得る。
【０１２４】
[00136]ブロック１１２０において、方法１１００は、データ変調シンボルのシーケンス中の変調シンボルのグループに対してＤＦＴを実行することを含み得る。変調シンボルのグループは、チャネル又は干渉推定変調シンボルのうちの少なくとも１つを含み得る。ブロック１１２０における（１つ又は複数の）動作は、図４、図５又は図８を参照しながら説明したワイヤレス通信管理モジュール４２０、５２０又は８５０若しくは図４又は図５を参照しながら説明したＤＦＴモジュール４４０又は５４０を使用して実行され得る。
【０１２５】
[00137]ブロック１１２５において、方法１１００は、ＤＦＴの出力に少なくとも部分的に基づいて、ＳＣ−ＦＤＭシンボルストリームを生成することを含み得る。幾つかの例では、ＳＣ−ＦＤＭシンボルストリームを生成することは、ＤＦＴの出力に少なくとも部分的に基づいてトーンマッピングを実行することと、トーンマッピングの出力に対してＩＦＦＴを実行することとを含み得る。ブロック１１２５における（１つ又は複数の）動作は、図４、図５又は図８を参照しながら説明したワイヤレス通信管理モジュール４２０、５２０又は８５０若しくは図４又は図５を参照しながら説明したＳＣ−ＦＤＭシンボルストリーム生成モジュール４４５又は５４５を使用して実行され得る。
【０１２６】
[00138]ブロック１１３０において、ＳＣ−ＦＤＭシンボルストリームは受信機に送信され得る（例えば、ＳＣ−ＦＤＭシンボルストリームは、アップリンクチャネル上で基地局に送信され得る）。幾つかの例では、ＳＣ−ＦＤＭシンボルストリームは、共有無線周波数スペクトル（例えば、Ｗｉ−Ｆｉ使用など、無認可使用のために利用可能である無線周波数スペクトル、若しくは等しく共有されるか、又は優先度を付けられた様式で複数の事業者が使用するために利用可能である無線周波数スペクトル）上で送信され得る。
【０１２７】
[00139]方法１１００の幾つかの例では、チャネル又は干渉推定変調シンボルは、ＳＣ−ＦＤＭシンボルストリームのために割り振られた幾つかのリソースブロック内の全ての周波数にわたり得る。幾つかの例では、同数のチャネル又は干渉推定変調シンボルが、ＳＣ−ＦＤＭシンボルストリームの各ＳＣ−ＦＤＭシンボル中に含まれ得る。
【０１２８】
[00140]従って、方法１１００はワイヤレス通信を提供し得る。方法１１００は一実装形態にすぎないこと、及び方法１１００の動作は、他の実装形態が可能であるように、並べ替えられるか又は場合によっては変更され得ることに留意されたい。
【０１２９】
[00141]図１２は、本開示の様々な態様による、ワイヤレス通信のための例示的な方法１２００を示すフローチャートである。明快のために、方法１２００について、図１、図２又は図９を参照しながら説明した基地局１０５、２０５、２０５−ａ又は９０５のうちの１つ又は複数の態様、図３を参照しながら説明した受信機３０５の態様、若しくは図７又は図８を参照しながら説明した装置７０５又は８０５のうちの１つ又は複数の態様に関して、以下で説明する。幾つかの例では、基地局又は装置は、以下で説明する機能を実行するように基地局又は装置の機能要素を制御するためのコードの１つ又は複数のセットを実行し得る。追加又は代替として、基地局又は装置は、専用ハードウェアを使用して、以下で説明する機能のうちの１つ又は複数を実行し得る。
【０１３０】
[00142]ブロック１２０５において、方法１２００は、少なくとも１つのＳＣ−ＦＤＭシンボルストリームの各々について複数のデータ変調シンボル及びチャネル又は干渉推定変調シンボルを復元するために、少なくとも１つのＳＣ−ＦＤＭシンボルストリームの各々についてＤＦＴのトーンデマッピングされた出力に対してＩＤＦＴを実行することを含み得る。ブロック１２０５における（１つ又は複数の）動作は、図６、図７又は図９を参照しながら説明したワイヤレス通信管理モジュール６２０、７２０又は９６０若しくは図６又は図７を参照しながら説明したＩＤＦＴモジュール６３５又は７３５を使用して実行され得る。
【０１３１】
[00143]方法１２００の幾つかの例では、チャネル又は干渉推定変調シンボルは０シンボルを含み得る。幾つかの例では、チャネル又は干渉推定変調シンボルは、知られている非０シンボルを含み得る。幾つかの例では、ＳＣ−ＦＤＭシンボルストリーム（例えば、特定のユーザから受信されたＳＣ−ＦＤＭシンボルストリーム）に対応するチャネル又は干渉推定変調シンボルは、ＳＣ−ＦＤＭシンボルストリームに対応するデータ変調シンボルに関する低減された変調次数を有し得る。幾つかの例では、同数のチャネル又は干渉推定変調シンボルが、ＳＣ−ＦＤＭシンボルストリームの各ＳＣ−ＦＤＭシンボル中に含まれ得る。
【０１３２】
[00144]ブロック１２１０において、方法１２００は、チャネル又は干渉推定変調シンボルに少なくとも部分的に基づいて、チャネル応答又は干渉（例えば、少なくとも１つのＳＮＲ）を推定することを含み得る。ブロック１２１０における（１つ又は複数の）動作は、図６、図７又は図９を参照しながら説明したワイヤレス通信管理モジュール６２０、７２０又は９６０若しくは図６又は図７を参照しながら説明したチャネル又は干渉推定モジュール６４０又は７４０を使用して実行され得る。
【０１３３】
[00145]ブロック１２１５において、方法１２００は、推定されたチャネル応答又は干渉に少なくとも部分的に基づいてデータ変調シンボルを復号することを含み得る。ブロック１２１５における（１つ又は複数の）動作は、図６、図７又は図９を参照しながら説明したワイヤレス通信管理モジュール６２０、７２０又は９６０若しくは図６又は図７を参照しながら説明した復号モジュール６４５又は７４５を使用して実行され得る。
【０１３４】
[00146]従って、方法１２００はワイヤレス通信を提供し得る。方法１２００は一実装形態にすぎないこと、及び方法１２００の動作は、他の実装形態が可能であるように、並べ替えられるか又は場合によっては変更され得ることに留意されたい。
【０１３５】
[00147]図１３は、本開示の様々な態様による、ワイヤレス通信のための例示的な方法１３００を示すフローチャートである。明快のために、方法１３００について、図１、図２又は図９を参照しながら説明した基地局１０５、２０５、２０５−ａ又は９０５のうちの１つ又は複数の態様、図３を参照しながら説明した受信機３０５の態様、若しくは図７又は図８を参照しながら説明した装置７０５又は８０５のうちの１つ又は複数の態様に関して、以下で説明する。幾つかの例では、基地局又は装置は、以下で説明する機能を実行するように基地局又は装置の機能要素を制御するためのコードの１つ又は複数のセットを実行し得る。追加又は代替として、基地局又は装置は、専用ハードウェアを使用して、以下で説明する機能のうちの１つ又は複数を実行し得る。
【０１３６】
[00148]ブロック１３０５において、方法１３００は、チャネル又は干渉推定変調シンボル挿入命令を複数のＵＥに送信することを含み得る。幾つかの例では、チャネル又は干渉推定変調シンボル挿入命令は、ＵＥに送信された送信許可（例えば、アップリンク許可）に関して、又はＵＥに送信された制御シグナリングに関して送信され得る。チャネル又は干渉推定変調シンボル挿入命令は、疑似静的命令又は動的命令を含み得る。ブロック１３０５における（１つ又は複数の）動作は、図６、図７又は図９を参照しながら説明したワイヤレス通信管理モジュール６２０、７２０又は９６０若しくは図７を参照しながら説明した挿入命令送信モジュール７５０を使用して実行され得る。
【０１３７】
[00149]ブロック１３１０において、方法１３００は、異なるユーザ（例えば、異なるＵＥ）に関連する複数のＳＣ−ＦＤＭシンボルストリームを受信することを含み得る。幾つかの例では、ＳＣ−ＦＤＭシンボルストリームは、アップリンクチャネル上で受信され得る。幾つかの例では、ＳＣ−ＦＤＭシンボルストリームは、共有無線周波数スペクトル（例えば、Ｗｉ−Ｆｉ使用など、無認可使用のために利用可能である無線周波数スペクトル、若しくは等しく共有されるか、又は優先度を付けられた様式で複数の事業者が使用するために利用可能である無線周波数スペクトル）上で受信され得る。ブロック１３１０における（１つ又は複数の）動作は、図６、図７又は図９を参照しながら説明したワイヤレス通信管理モジュール６２０、７２０又は９６０若しくは図７を参照しながら説明したＳＣ−ＦＤＭシンボルストリーム処理モジュール７５５を使用して実行され得る。
【０１３８】
[00150]ブロック１３１５において、方法１３００は、ＳＣ−ＦＤＭシンボルストリームの各々についてＤＦＴのトーンデマッピングされた出力に対して等化を実行することを含み得る。ブロック１３１５における（１つ又は複数の）動作は、図６、図７又は図９を参照しながら説明したワイヤレス通信管理モジュール６２０、７２０又は９６０若しくは図７を参照しながら説明したＳＣ−ＦＤＭシンボルストリーム処理モジュール７６０を使用して実行され得る。
【０１３９】
[00151]ブロック１３２０において、方法１３００は、ＳＣ−ＦＤＭシンボルストリームの各々について複数のデータ変調シンボル及びチャネル又は干渉推定変調シンボルを復元するために、各等化されたトーンデマッピングされた出力に対してＩＤＦＴを実行することを含み得る。幾つかの例では、ブロック１３２０における（１つ又は複数の）動作は、異なるユーザに対応するチャネル又は干渉推定変調シンボルを、ユーザ固有挿入期間オフセットに従って、異なるＳＣ−ＦＤＭシンボルストリームから復元することを含み得る。ブロック１３２０における（１つ又は複数の）動作は、図６、図７又は図９を参照しながら説明したワイヤレス通信管理モジュール６２０、７２０又は９６０若しくは図６又は図７を参照しながら説明したＩＤＦＴモジュール６３５又は７３５を使用して実行され得る。
【０１４０】
[00152]方法１３００の幾つかの例では、チャネル又は干渉推定変調シンボルは０シンボルを含み得る。幾つかの例では、チャネル又は干渉推定変調シンボルは、知られている非０シンボルを含み得る。幾つかの例では、ＳＣ−ＦＤＭシンボルストリーム（例えば、特定のユーザから受信されたＳＣ−ＦＤＭシンボルストリーム）に対応するチャネル又は干渉推定変調シンボルは、ＳＣ−ＦＤＭシンボルストリームに対応するデータ変調シンボルに関する低減された変調次数を有し得る。幾つかの例では、同数のチャネル又は干渉推定変調シンボルが、ＳＣ−ＦＤＭシンボルストリームの各ＳＣ−ＦＤＭシンボル中に含まれ得る。
【０１４１】
[00153]ブロック１３２５において、方法１３００は、チャネル又は干渉推定変調シンボルに少なくとも部分的に基づいて、チャネル応答又は干渉（例えば、ＳＮＲ）を推定することを含み得る。ブロック１３２５における（１つ又は複数の）動作は、図６、図７又は図９を参照しながら説明したワイヤレス通信管理モジュール６２０、７２０又は９６０若しくは図６又は図７を参照しながら説明した干渉推定モジュール６４０又は７４０を使用して実行され得る。
【０１４２】
[00154]ブロック１３３０において、方法１３００は、推定されたチャネル応答又は干渉に少なくとも部分的に基づいてデータ変調シンボルを復号することを含み得る。幾つかの例では、第１のＳＣ−ＦＤＭシンボルストリームに対応する変調シンボルの第１のグループ内の第１の複数のデータ変調シンボルが、第２のＳＣ−ＦＤＭシンボルストリームに対応する変調シンボルの第２のグループ内の第１の複数のチャネル又は干渉推定変調シンボルのために推定された干渉に少なくとも部分的に基づいて復号され得る。ブロック１３３０における（１つ又は複数の）動作は、図６、図７又は図９を参照しながら説明したワイヤレス通信管理モジュール６２０、７２０又は９６０若しくは図６又は図７を参照しながら説明した復号モジュール６４５又は７４５を使用して実行され得る。
【０１４３】
[00155]従って、方法１３００はワイヤレス通信を提供し得る。方法１３００は一実装形態にすぎないこと、及び方法１３００の動作は、他の実装形態が可能であるように、並べ替えられるか又は場合によっては変更され得ることに留意されたい。
【０１４４】
[00156]本明細書で説明した技法は、ＣＤＭＡ、ＴＤＭＡ、ＦＤＭＡ、ＯＦＤＭＡ、ＳＣ−ＦＤＭＡ、及び他のシステムなどの様々なワイヤレス通信システムのために使用され得る。「システム」及び「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５及びＩＳ−８５６規格をカバーする。ＩＳ−２０００リリース０及びＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）及びＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡ及びＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）及びＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、及びＧＳＭは、「第３世代パートナーシッププロジェクト」（３ＧＰＰ：3rd Generation Partnership Project）と称する団体からの文書に記載されている。ＣＤＭＡ２０００及びＵＭＢは、「第３世代パートナーシッププロジェクト２」（３ＧＰＰ２：3rd Generation Partnership Project 2）と称する団体からの文書に記載されている。本明細書で説明した技法は、無認可及び／又は共有帯域幅を介したセルラー（例えば、ＬＴＥ）通信を含む、上述のシステム及び無線技術、ならびに他のシステム及び無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１４５】
[00157]添付の図面に関して上記に記載された詳細な説明は、例について説明しており、実装され得る又は特許請求の範囲内に入る例のみを表すものではない。「例」及び「例示的」という語は、この説明で使用されるとき、「例、事例、又は例示の働きをすること」を意味し、「好ましい」又は「他の例よりも有利な」を意味しない。詳細な説明は、説明する技法の理解を与えるための具体的な詳細を含む。ただし、これらの技法は、これらの具体的な詳細なしに実施され得る。幾つかの事例では、説明した例の概念を不明瞭にすることを回避するために、よく知られている構造及び装置がブロック図の形式で示されている。
【０１４６】
[00158]情報及び信号は、様々な異なる技術及び技法のいずれかを使用して表され得る。例えば、上記の説明全体にわたって言及され得るデータ、命令、コマンド、情報、信号、ビット、シンボル、及びチップは、電圧、電流、電磁波、磁界又は磁性粒子、光場又は光学粒子、若しくはそれらの任意の組合せによって表され得る。
【０１４７】
[00159]本明細書の開示に関して説明した様々な例示的なブロック及び構成要素は、汎用プロセッサ、デジタル信号プロセッサ（ＤＳＰ）、ＡＳＩＣ、ＦＰＧＡ又は他のプログラマブル論理機器、個別ゲート又はトランジスタ論理、個別ハードウェア構成要素、若しくは本明細書で説明した機能を実行するように設計されたそれらの任意の組合せを用いて実装又は実行され得る。汎用プロセッサはマイクロプロセッサであり得るが、代替として、プロセッサは任意の従来のプロセッサ、コントローラ、マイクロコントローラ、又は状態機械であり得る。プロセッサは、コンピューティング機器の組合せ、例えば、ＤＳＰとマイクロプロセッサとの組合せ、複数のマイクロプロセッサ、ＤＳＰコアと連携する１つ又は複数のマイクロプロセッサ、又は任意の他のそのような構成としても実装され得る。
【０１４８】
[00160]本明細書で説明した機能は、ハードウェア、プロセッサによって実行されるソフトウェア、ファームウェア、又はそれらの組合せで実装され得る。プロセッサによって実行されるソフトウェアで実装される場合、機能は、１つ又は複数の命令又はコードとしてコンピュータ可読媒体上に記憶されるか、又はコンピュータ可読媒体を介して送信され得る。他の例及び実装形態は、本開示及び添付の特許請求の範囲及び趣旨内に入る。例えば、ソフトウェアの性質により、上記で説明した機能は、プロセッサ、ハードウェア、ファームウェア、ハードワイヤリング、又はこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。特許請求の範囲を含めて、本明細書で使用される場合、２つ以上の項目の列挙中で使用されるとき、「及び／又は」という用語は、列挙された項目のうちのいずれか１つが単独で採用され得ること、又は列挙された項目のうちの２つ以上の任意の組合せが採用され得ることを意味する。例えば、組成が、構成要素Ａ、Ｂ、及び／又はＣを含んでいると記述されている場合、その組成は、Ａのみ、Ｂのみ、Ｃのみ、ＡとＢの組合せ、ＡとＣの組合せ、ＢとＣの組合せ、又はＡとＢとＣの組合せを含んでいることがある。また、特許請求の範囲を含めて、本明細書で使用される場合、項目の列挙（例えば、「のうちの少なくとも１つ」若しくは「のうちの１つ又は複数」などの句で終わる項目の列挙）中で使用される「又は」は、例えば、「Ａ、Ｂ、又はＣのうちの少なくとも１つ」の列挙が、Ａ又はＢ又はＣ又はＡＢ又はＡＣ又はＢＣ又はＡＢＣ（即ち、Ａ及びＢ及びＣ）を意味するような選言的列挙を示す。
【０１４９】
[00161]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用又は専用コンピュータによってアクセスされ得る任意の利用可能な媒体であり得る。限定ではなく例として、非一時的コンピュータ可読媒体は、ＲＡＭ、ＲＯＭ、ＥＥＰＲＯＭ（登録商標）、フラッシュメモリ、ＣＤ−ＲＯＭ又は他の光ディスクストレージ、磁気ディスクストレージ又は他の磁気ストレージ機器若しくは命令又はデータ構造の形態の所望のプログラムコード手段を搬送又は記憶するために使用され得、汎用若しくは専用コンピュータ、又は汎用若しくは専用プロセッサによってアクセスされ得る、任意の他の非一時的媒体を備えることができる。また、いかなる接続もコンピュータ可読媒体と適切に呼ばれる。例えば、ソフトウェアが、同軸ケーブル、光ファイバケーブル、ツイストペア、デジタル加入者回線（ＤＳＬ）、又は赤外線、無線、及びマイクロ波などのワイヤレス技術を使用して、ウェブサイト、サーバ、又は他のリモートソースから送信される場合、同軸ケーブル、光ファイバケーブル、ツイストペア、ＤＳＬ、又は赤外線、無線、及びマイクロ波などのワイヤレス技術は、媒体の定義に含まれる。本明細書で使用するディスク（disk）及びディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）及びＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１５０】
[00162]本開示についての以上の説明は、当業者が本開示を作成又は使用することができるように与えられたものである。本開示への様々な変更は当業者には容易に明らかとなり、本明細書で定義した一般原理は、本開示の範囲から逸脱することなく他の変形形態に適用され得る。従って、本開示は、本明細書で説明した例及び設計に限定されるべきでなく、本明細書で開示した原理及び新規の特徴に一致する最も広い範囲を与えられるべきである。
【図１】
2018511993.tif 000003
【図２】
2018511993.tif 000004
【図３】
2018511993.tif 000005
【図４】
2018511993.tif 000006
【図５】
2018511993.tif 000007
【図６】
2018511993.tif 000008
【図７】
2018511993.tif 000009
【図８】
2018511993.tif 000010
【図９】
2018511993.tif 000011
【図１０】
2018511993.tif 000012
【図１１】
2018511993.tif 000013
【図１２】
2018511993.tif 000014
【図１３】
2018511993.tif 000015
【国際調査報告】
2018511993.tif 000016
2018511993.tif 000017
2018511993.tif 000018